(57)【要約】  複数のサウンディング基準信号リソースの各々について、サウンディング基準信号ビームペアのサウンディング基準信号送信電力を調整するために使用するアップリンクデータチャネルビームペアのためのアップリンクデータチャネル電力制御パラメータセットをユーザ装置が個別に選択するステップと、ユーザ装置が、各サウンディング基準信号リソースについて、選択されたアップリンクデータチャネル電力制御パラメータセットに基づいてサウンディング基準信号のサウンディング基準信号送信電力を調整するステップと、ユーザ装置が、複数の電力調整されたサウンディング基準信号の各々を、対応するサウンディング基準信号リソース及び対応するサウンディング基準信号ビームペアを介して送信するステップと、を含む方法。【選択図】図９
2020503805.tif 000002
【特許請求の範囲】
【請求項１】
基地局が、アップリンクデータチャネルビームペアのためのアップリンクデータチャネル電力制御パラメータセットを決定するステップと、
前記基地局が、サウンディング基準信号リソースのための、基地局受信ビーム及びユーザ装置送信ビームを含むサウンディング基準信号ビームペアを決定するステップと、
前記基地局が、前記サウンディング基準信号ビームペアに一致する前記アップリンクデータチャネルビームペアに基づいて、サウンディング基準信号送信電力を調整するためにユーザ装置が使用すべき前記アップリンクデータチャネル電力制御パラメータセットを選択するステップと、
前記基地局が、前記サウンディング基準信号リソース及び前記サウンディング基準信号ビームペアを介して前記ユーザ装置から、前記アップリンクデータチャネル電力制御パラメータセットに基づいて設定されたサウンディング基準信号送信電力を有するサウンディング基準信号を受け取るステップと、
を含むことを特徴とする方法。
【請求項２】
アップリンクデータチャネル電力制御パラメータセットを決定する前記ステップは、第１のアップリンクデータチャネルビームペアのための第１のアップリンクデータチャネル電力制御パラメータセットと、第２のアップリンクデータチャネルビームペアのための第２のアップリンクデータチャネル電力制御パラメータセットとを決定することを含んだ、複数のアップリンクデータチャネルビームペアの各々のためのアップリンクデータチャネル電力制御パラメータセットを決定するステップを含み、
サウンディング基準信号リソースのサウンディング基準信号ビームペアを決定する前記ステップは、
第１のサウンディング基準信号リソースのための第１のサウンディング基準信号ビームペアを決定するステップと、
第２のサウンディング基準信号リソースのための第２のサウンディング基準信号ビームペアを決定するステップと、
を含んだ、複数のサウンディング基準信号リソースの各々のためのサウンディング基準信号ビームペアを決定するステップを含み、
前記選択するステップは、
前記第１のアップリンクデータチャネルビームペアと前記第１のサウンディング基準信号ビームペアとの間の一致に基づいて、前記第１のサウンディング基準信号リソースのためのサウンディング基準信号送信電力を調整するために前記ユーザ装置が使用すべき前記第１のアップリンクデータチャネルビームペアのための前記第１のアップリンクデータチャネル電力制御パラメータセットを選択するステップと、
前記第２のアップリンクデータチャネルビームペアと前記第２のサウンディング基準信号ビームペアとの間の一致に基づいて、前記第２のサウンディング基準信号リソースのためのサウンディング基準信号送信電力を調整するために前記ユーザ装置が使用すべき前記第２のアップリンクデータチャネルビームペアのための前記第２のアップリンクデータチャネル電力制御パラメータセットを選択するステップと、
を含む、
請求項１に記載の方法。
【請求項３】
アップリンクデータチャネルビームペアのための前記アップリンクデータチャネル電力制御パラメータセットは、ＰＵＳＣＨビームペアのための物理アップリンク共有チャネル（ＰＵＳＣＨ）電力制御パラメータセットを含む、
請求項１又は２に記載の方法。
【請求項４】
前記基地局が、前記サウンディング基準信号送信電力を調整するために使用すべき前記アップリンクデータチャネル電力制御パラメータセットを識別する制御情報を前記ユーザ装置に送信するステップを更に含む、
請求項１又は２に記載の方法。
【請求項５】
前記制御情報は、周期的サウンディング基準信号については上位層シグナリングを介して送信され、
前記制御情報は、非周期的サウンディング基準信号については下位層シグナリングを介して送信される、
請求項４に記載の方法。
【請求項６】
前記制御情報は、周期的サウンディング基準信号については無線リソース制御（ＲＲＣ）シグナリングを介して送信され、
前記制御情報は、非周期的サウンディング基準信号については物理ダウンリンク制御チャネル（ＰＤＣＣＨ）ダウンリンク制御情報（ＤＣＩ）を介して送信される、
請求項４に記載の方法。
【請求項７】
前記制御情報は、物理ダウンリンク制御チャネル（ＰＤＣＣＨ）ダウンリンク制御情報（ＤＣＩ）を介して提供される、１）上位層シグナリングによって構成された、前記サウンディング基準信号を送信するために使用すべきサウンディング基準信号パラメータセットと、２）前記サウンディング基準信号送信電力を調整するために使用すべき前記アップリンクデータチャネル電力制御パラメータセットと、を識別する制御情報を含む、
請求項４に記載の方法。
【請求項８】
前記基地局が、サウンディング基準信号送信のために前記ユーザ装置により使用される諸元を識別する情報を前記ユーザ装置に送信するステップを更に含む、
請求項１から７のいずれかに記載の方法。
【請求項９】
前記基地局が、前記アップリンクデータチャネルに関する前記サウンディング基準信号送信電力の電力オフセットを識別する情報を前記ユーザ装置に送信するステップを更に含む、
請求項１から８のいずれかに記載の方法。
【請求項１０】
前記基地局が、前記ユーザ装置が１又は２以上のビームペアの経路損失を特定できるようにするためのチャネル状態情報−基準信号を前記ユーザ装置に送信するステップを更に含む、
請求項１から９のいずれかに記載の方法。
【請求項１１】
少なくとも１つのプロセッサと、コンピュータ命令を含む少なくとも１つのメモリとを備えた装置であって、前記コンピュータ命令は、前記少なくとも１つのプロセッサによって実行されると、前記装置に請求項１から１０のいずれかに記載の方法を実行させる、
ことを特徴とする装置。
【請求項１２】
請求項１から１０のいずれかに記載の方法を実行する手段を備える、
ことを特徴とする装置。
【請求項１３】
非一時的コンピュータ可読記憶媒体を含むとともに実行可能コードを記憶するコンピュータプログラム製品を含む装置であって、前記実行可能コードは、少なくとも１つのデータ処理装置によって実行されると、前記少なくとも１つのデータ処理装置に請求項１から１０のいずれかに記載の方法を実行させるように構成されていることを特徴とする装置。
【請求項１４】
ユーザ装置が、アップリンクデータチャネルビームペアのためのアップリンクデータチャネル電力制御パラメータセットを基地局から受け取るステップと、
前記ユーザ装置が、サウンディング基準信号リソースのための、基地局受信ビームとユーザ装置送信ビームとを含むサウンディング基準信号ビームペアを決定するステップと、
前記ユーザ装置が、サウンディング基準信号送信電力を調整するために前記アップリンクデータチャネル電力制御パラメータセットを選択するステップと、
前記ユーザ装置が、前記アップリンクデータチャネル電力制御パラメータセットに基づいて、前記サウンディング基準信号リソースを介して送信するサウンディング基準信号のためのサウンディング基準信号送信電力を調整するステップと、
前記ユーザ装置が、前記サウンディング基準信号リソース及び前記サウンディング基準信号ビームペアを介して、前記電力調整されたサウンディング基準信号を送信するステップと、
を含むことを特徴とする方法。
【請求項１５】
アップリンクデータチャネル電力制御パラメータセットを受け取る前記ステップは、
第１のアップリンクデータチャネルビームペアのための第１のアップリンクデータチャネル電力制御パラメータセットを受け取るステップと、
第２のアップリンクデータチャネルビームペアのための第２のアップリンクデータチャネル電力制御パラメータセットを受け取るステップと、
を含んだ、複数のアップリンクデータチャネルビームペアの各々のためのアップリンクデータチャネル電力制御パラメータセットを受け取るステップを含み、
サウンディング基準信号ビームペアを決定する前記ステップは、
第１のサウンディング基準信号リソースのための第１のサウンディング基準信号ビームペアを決定するステップと、
第２のサウンディング基準信号リソースのための第２のサウンディング基準信号ビームペアを決定するステップと、
を含んだ、複数のサウンディング基準信号リソースの各々のためのサウンディング基準信号ビームペアを決定するステップを含み、
前記選択するステップは、前記第１のサウンディング基準信号リソースのサウンディング基準信号送信電力を調整するための前記第１のアップリンクデータチャネル電力制御パラメータセットと、前記第２のサウンディング基準信号リソースのサウンディング基準信号送信電力を調整するための前記第２のアップリンクデータチャネル電力制御パラメータセットとを選択するステップを含む、
請求項１４に記載の方法。
【請求項１６】
前記選択するステップは、
前記ユーザ装置が、前記アップリンクデータチャネルビームペアが前記サウンディング基準信号ビームペアに一致すると判定するステップと、
前記ユーザ装置が、前記アップリンクデータチャネルビームペアが前記サウンディング基準信号ビームペアに一致することに基づいて、サウンディング基準信号送信電力を調整するための前記アップリンクデータチャネル電力制御パラメータセットを選択するステップと、
を含む、請求項１４に記載の方法。
【請求項１７】
前記選択するステップは、
前記ユーザ装置が、サウンディング基準信号送信電力を調整するために前記アップリンクデータチャネル電力制御パラメータセットを使用すべきであることを示す制御情報を前記基地局から受け取るステップと、
前記ユーザ装置が、前記受け取った制御情報に基づいて、サウンディング基準信号送信電力を調整するための前記アップリンクデータチャネル電力制御パラメータセットを選択するステップと、
を含む、請求項１４に記載の方法。
【請求項１８】
アップリンクデータチャネルビームペアのための前記アップリンクデータチャネル電力制御パラメータセットは、ＰＵＳＣＨビームペアのための物理アップリンク共有チャネル（ＰＵＳＣＨ）電力制御パラメータセットを含む、
請求項１４から１７のいずれかに記載の方法。
【請求項１９】
前記制御情報は、周期的サウンディング基準信号については上位層シグナリングを介して受け取られ、
前記制御情報は、非周期的サウンディング基準信号については下位層シグナリングを介して受け取られる、
請求項１７に記載の方法。
【請求項２０】
前記制御情報は、周期的サウンディング基準信号については無線リソース制御（ＲＲＣ）シグナリングを介して受け取られ、
前記制御情報は、非周期的サウンディング基準信号については物理ダウンリンク制御チャネル（ＰＤＣＣＨ）ダウンリンク制御情報（ＤＣＩ）を介して受け取られる、
請求項１７に記載の方法。
【請求項２１】
前記制御情報は、物理ダウンリンク制御チャネル（ＰＤＣＣＨ）ダウンリンク制御情報（ＤＣＩ）を介して提供される、１）上位層シグナリングによって構成された、前記サウンディング基準信号を送信するために使用すべきサウンディング基準信号パラメータセットと、２）前記サウンディング基準信号送信電力を調整するために使用すべき前記アップリンクデータチャネル電力制御パラメータセットと、を識別する制御情報を含む、
請求項１７に記載の方法。
【請求項２２】
前記ユーザ装置が、サウンディング基準信号送信のために該ユーザ装置が使用すべき諸元を識別する情報を受け取るステップと、
前記ユーザ装置が、前記アップリンクデータチャネルに関する前記サウンディング基準信号送信電力の電力オフセットを識別する情報を受け取るステップと、
前記ユーザ装置が、前記サウンディング基準信号ビームペアに対応する経路損失を該ユーザ装置が決定できるようにするためのチャネル状態情報−基準信号を受け取るステップと、
前記チャネル状態情報−基準信号に基づいて、前記サウンディング基準信号ビームペアに対応する経路損失を特定するステップと、
を更に含み、
前記調整するステップは、前記ユーザ装置が、前記アップリンクデータチャネル電力制御パラメータセット、前記諸元、前記電力オフセット及び前記経路損失に基づいてサウンディング基準信号送信電力を調整するステップを含む、
請求項１４から２１のいずれかに記載の方法。
【請求項２３】
前記ユーザ装置が、サウンディング基準信号送信のために該ユーザ装置が使用すべき諸元を識別する情報を受け取るステップを更に含み、同じビームペアを使用する前記サウンディング基準信号及び前記アップリンクデータチャネルは、同じ諸元を有する、
請求項１４から２２のいずれかに記載の方法。
【請求項２４】
ビーム管理のためのビーム掃引を実行する際に、１つのアップリンクデータチャネル電力制御パラメータセットを使用して複数のサウンディング基準信号ビームの各々のサウンディング基準信号送信電力を調整するステップを更に含む、
請求項１４から２３のいずれかに記載の方法。
【請求項２５】
前記１つのアップリンクデータチャネル電力制御パラメータセットは、前記アップリンクデータチャネルを介して前記基地局にアップリンクデータを送信するために使用されたアップリンクデータチャネル電力制御パラメータセットを含む、
請求項２４に記載の方法。
【請求項２６】
少なくとも１つのプロセッサと、コンピュータ命令を含む少なくとも１つのメモリとを含む装置であって、命令は、前記少なくとも１つのプロセッサによって実行されると、請求項１４−２５のいずれかの方法を前記装置に実行させる。
【請求項２７】
請求項１４から２５のいずれかに記載の方法を実行する手段を備える、
ことを特徴とする装置。
【請求項２８】
ユーザ装置が、サウンディング基準信号ビームペアのサウンディング基準信号送信電力を調整するために使用するアップリンクデータチャネルビームペアのためのアップリンクデータチャネル電力制御パラメータセットを複数のサウンディング基準信号リソースの各々について独立して選択するステップと、
前記ユーザ装置が、選択されたアップリンクデータチャネル電力制御パラメータセットに基づいてサウンディング基準信号のサウンディング基準信号送信電力を複数のサウンディング基準信号リソースの各々について調整するステップと、
前記ユーザ装置が、複数の電力調整されたサウンディング基準信号の各々を、対応するサウンディング基準信号リソース及び対応するサウンディング基準信号ビームペアを介して送信するステップと、
を含むことを特徴とする方法。
【請求項２９】
前記選択するステップは、
複数のサウンディング基準信号リソースの各々について、アップリンクデータチャネルビームペアがサウンディング基準信号ビームペアに一致すると独立して判定するステップと、
前記ユーザ装置が、前記アップリンクデータチャネルビームペアが前記サウンディング基準信号ビームペアに一致することに基づいて、前記アップリンクデータチャネルビームペアに一致する前記サウンディング基準信号ビームペアを有するサウンディング基準信号のサウンディング基準信号送信電力を調整するために、アップリンクデータチャネルビームペアのための前記アップリンクデータチャネル電力制御パラメータセットを選択するステップと、
を含む、請求項２８に記載の方法。
【請求項３０】
前記選択するステップは、
前記ユーザ装置が、サウンディング基準信号送信電力を調整するために使用すべきアップリンクデータチャネル電力制御パラメータセットを複数のサウンディング基準信号リソースの各々について示す制御情報を前記基地局から受け取るステップと、
前記ユーザ装置が、前記受け取った前記複数のサウンディング基準信号リソースの各々についての制御情報に基づいて、サウンディング基準信号送信電力を調整するための前記アップリンクデータチャネル電力制御パラメータセットを選択するステップと、
を含む、請求項２８又は２９に記載の方法。
【請求項３１】
各アップリンクデータチャネルビームペアのためのアップリンクデータチャネル電力制御パラメータセットは、ＰＵＳＣＨビームペアのための物理アップリンク共有チャネル（ＰＵＳＣＨ）電力制御パラメータセットを含む、
請求項２８から３０のいずれかに記載の方法。
【請求項３２】
少なくとも１つのプロセッサと、コンピュータ命令を含む少なくとも１つのメモリとを備えた装置であって、前記コンピュータ命令は、前記少なくとも１つのプロセッサによって実行されると、前記装置に請求項２８から３１のいずれかに記載の方法を実行させる、
ことを特徴とする装置。
【請求項３３】
請求項２８から３１のいずれかに記載の方法を実行する手段を備える、
ことを特徴とする装置。
【発明の詳細な説明】
【技術分野】
【０００１】
本明細書は通信に関する。
【背景技術】
【０００２】
通信システムは、たとえば、固定通信装置又はモバイル通信装置などの２又は３以上のノード又は装置間の通信を可能にする設備である。信号は有線又は無線のキャリア上で搬送することができる。
【０００３】
セルラー通信システムの一例として、第３世代パートナーシッププロジェクト（３ＧＰＰ）によって標準化されているアーキテクチャがある。最近のこの分野での進展は、ユニバーサル移動体電気通信システム（ＵＭＴＳ）無線アクセス技術のロングタームエボリューション（ＬＴＥ）と称されることが多い。Ｅ−ＵＴＲＡ（進化型ＵＭＴＳ地上波無線アクセス）は、モバイルネットワークのための３ＧＰＰロングタームエボリューション（ＬＴＥ）アップグレードパスのエアインターフェイスである。ＬＴＥでは、拡張ＮｏｄｅＡＰ（ｅＮＢ）と呼ばれる基地局又はアクセスポイント（ＡＰ）が、カバレッジエリア又はセル内で無線アクセスを提供する。ＬＴＥでは、モバイル装置又は移動局がユーザ装置（ＵＥ）と呼ばれる。ＬＴＥは多くの改善又は開発を受けてきた。
【０００４】
無線キャリアが世界的な帯域幅不足に直面することで、例えば活用されていなかったミリメートル波（ミリ波）を将来的な広帯域セルラー通信ネットワークのために検討することが促されてきた。ミリ波（又は極高周波）は、例えば３０〜３００ギガヘルツ（ＧＨｚ）の周波数レンジを含むことができる。この帯域内の電波は、例えば１０〜１ミリメートルの波長を有し、ミリメートル帯又はミリメートル波と呼ばれている。無線データの量は、今後数年間で大幅に増加すると見込まれる。この課題に対処するために、更なるスペクトルの取得、セルサイズの小型化、及び更なるｂｉｔｓ／ｓ／Ｈｚを可能にする改善技術の使用を含む様々な技術が使用されてきた。更なるスペクトルを取得するために使用できる１つの要素は、６ＧＨｚを上回る高周波数に移行することである。第５世代無線システム（５Ｇ）では、ミリ波無線スペクトルを採用するセルラー無線装置を展開するためのアクセスアーキテクチャが提案されてきた。センチ波無線スペクトル（３〜３０ＧＨｚ）などの他のスペクトル例を使用することもできる。
【０００５】
ＭＩＭＯ（多入力多出力）は、エラーの低減及び／又はデータ速度の改善のために送信元（送信機）と送信先（受信機）の両方で複数のアンテナを使用する無線通信アンテナ技術である。
【発明の概要】
【課題を解決するための手段】
【０００６】
ある実施形態例によれば、ある方法は、基地局がアップリンクデータチャネルビームペアのためのアップリンクデータチャネル電力制御パラメータセットを決定するステップと、基地局が、サウンディング基準信号リソースのための、基地局受信ビーム及びユーザ装置送信ビームを含むサウンディング基準信号ビームペアを決定するステップと、基地局が、サウンディング基準信号ビームペアに一致するアップリンクデータチャネルビームペアに基づいて、サウンディング基準信号送信電力を調整するためにユーザ装置が使用すべきアップリンクデータチャネル電力制御パラメータセットを選択するステップと、基地局が、サウンディング基準信号リソース及びサウンディング基準信号ビームペアを介して、ユーザ装置から、アップリンクデータチャネル電力制御パラメータセットに基づいて設定されたサウンディング基準信号送信電力でサウンディング基準信号を受け取るステップと、を含んでもよい。
【０００７】
ある実施形態例によれば、ある装置は、少なくとも１つのプロセッサと、コンピュータ命令を含む少なくとも１つのメモリとを備え、コンピュータ命令が、少なくとも１つのプロセッサによって実行されると、装置に、基地局がアップリンクデータチャネルビームペアのためのアップリンクデータチャネル電力制御パラメータセットを決定することと、基地局が、サウンディング基準信号リソースのための、基地局受信ビーム及びユーザ装置送信ビームを含むサウンディング基準信号ビームペアを決定することと、基地局が、サウンディング基準信号ビームペアに一致するアップリンクデータチャネルビームペアに基づいて、サウンディング基準信号送信電力を調整するためにユーザ装置が使用すべきアップリンクデータチャネル電力制御パラメータセットを選択することと、基地局が、サウンディング基準信号リソース及びサウンディング基準信号ビームペアを介して、ユーザ装置から、アップリンクデータチャネル電力制御パラメータセットに基づいて設定されたサウンディング基準信号送信電力でサウンディング基準信号を受け取ることと、を行わせる。
【０００８】
ある実施形態例によれば、ある装置は、基地局がアップリンクデータチャネルビームペアのためのアップリンクデータチャネル電力制御パラメータセットを決定する手段と、基地局が、サウンディング基準信号リソースのための、基地局受信ビーム及びユーザ装置送信ビームを含むサウンディング基準信号ビームペアを決定する手段と、基地局が、サウンディング基準信号ビームペアに一致するアップリンクデータチャネルビームペアに基づいて、サウンディング基準信号送信電力を調整するためにユーザ装置が使用すべきアップリンクデータチャネル電力制御パラメータセットを選択する手段と、基地局が、サウンディング基準信号リソース及びサウンディング基準信号ビームペアを介して、ユーザ装置から、アップリンクデータチャネル電力制御パラメータセットに基づいて設定されたサウンディング基準信号送信電力でサウンディング基準信号を受け取る手段と、を含む。
【０００９】
ある実施形態例によれば、あるコンピュータプログラム製品は、コンピュータ可読記憶媒体を含むとともに実行可能コードを記憶しており、この実行可能コードは、少なくとも１つのデータ処理装置によって実行されると、少なくとも１つのデータ処理装置に、基地局がアップリンクデータチャネルビームペアのためのアップリンクデータチャネル電力制御パラメータセットを決定するステップと、基地局が、サウンディング基準信号リソースのための、基地局受信ビーム及びユーザ装置送信ビームを含むサウンディング基準信号ビームペアを決定するステップと、基地局が、サウンディング基準信号ビームペアに一致するアップリンクデータチャネルビームペアに基づいて、サウンディング基準信号送信電力を調整するためにユーザ装置が使用すべきアップリンクデータチャネル電力制御パラメータセットを選択するステップと、基地局が、サウンディング基準信号リソース及びサウンディング基準信号ビームペアを介して、ユーザ装置から、アップリンクデータチャネル電力制御パラメータセットに基づいて設定されたサウンディング基準信号送信電力でサウンディング基準信号を受け取るステップと、を含む方法を実行させるように構成される。
【００１０】
ある実施形態例によれば、ある方法は、ユーザ装置がアップリンクデータチャネルビームペアのためのアップリンクデータチャネル電力制御パラメータセットを基地局から受け取るステップと、ユーザ装置が、サウンディング基準信号リソースのための、基地局受信ビームとユーザ装置送信ビームとを含むサウンディング基準信号ビームペアを決定するステップと、ユーザ装置が、サウンディング基準信号送信電力を調整するためのアップリンクデータチャネル電力制御パラメータセットを選択するステップと、ユーザ装置が、アップリンクデータチャネル電力制御パラメータセットに基づいて、サウンディング基準信号リソースを介して送信すべきサウンディング基準信号のサウンディング基準信号送信電力を調整するステップと、ユーザ装置が、サウンディング基準信号リソース及びサウンディング基準信号ビームペアを介して、電力調整されたサウンディング基準信号を送信するステップと、を含むことができる。
【００１１】
ある実施形態例によれば、ある装置は、少なくとも１つのプロセッサと、コンピュータ命令を含む少なくとも１つのメモリとを備え、コンピュータ命令が、少なくとも１つのプロセッサによって実行されると、装置に、ユーザ装置がアップリンクデータチャネルビームペアのためのアップリンクデータチャネル電力制御パラメータセットを基地局から受け取ることと、ユーザ装置が、サウンディング基準信号リソースのための、基地局受信ビームとユーザ装置送信ビームとを含むサウンディング基準信号ビームペアを決定することと、ユーザ装置が、サウンディング基準信号送信電力を調整するためのアップリンクデータチャネル電力制御パラメータセットを選択することと、ユーザ装置が、アップリンクデータチャネル電力制御パラメータセットに基づいて、サウンディング基準信号リソースを介して送信すべきサウンディング基準信号のサウンディング基準信号送信電力を調整することと、ユーザ装置が、サウンディング基準信号リソース及びサウンディング基準信号ビームペアを介して、電力調整されたサウンディング基準信号を送信することと、を行わせる。
【００１２】
ある実施形態例によれば、ある装置は、ユーザ装置がアップリンクデータチャネルビームペアのためのアップリンクデータチャネル電力制御パラメータセットを基地局から受け取る手段と、ユーザ装置が、サウンディング基準信号リソースのための、基地局受信ビームとユーザ装置送信ビームとを含むサウンディング基準信号ビームペアを決定する手段と、ユーザ装置が、サウンディング基準信号送信電力を調整するためのアップリンクデータチャネル電力制御パラメータセットを選択する手段と、ユーザ装置が、アップリンクデータチャネル電力制御パラメータセットに基づいて、サウンディング基準信号リソースを介して送信すべきサウンディング基準信号のサウンディング基準信号送信電力を調整する手段と、ユーザ装置が、サウンディング基準信号リソース及びサウンディング基準信号ビームペアを介して、電力調整されたサウンディング基準信号を送信する手段と、を含む。
【００１３】
ある実施形態例によれば、あるコンピュータプログラム製品は、コンピュータ可読記憶媒体を含むとともに実行可能コードを記憶しており、この実行可能コードが、少なくとも１つのデータ処理装置によって実行されると、少なくとも１つのデータ処理装置に、ユーザ装置がアップリンクデータチャネルビームペアのためのアップリンクデータチャネル電力制御パラメータセットを基地局から受け取るステップと、ユーザ装置が、サウンディング基準信号リソースのための、基地局受信ビームとユーザ装置送信ビームとを含むサウンディング基準信号ビームペアを決定するステップと、ユーザ装置が、サウンディング基準信号送信電力を調整するためのアップリンクデータチャネル電力制御パラメータセットを選択するステップと、ユーザ装置が、アップリンクデータチャネル電力制御パラメータセットに基づいて、サウンディング基準信号リソースを介して送信すべきサウンディング基準信号のサウンディング基準信号送信電力を調整するステップと、ユーザ装置が、サウンディング基準信号リソース及びサウンディング基準信号ビームペアを介して、電力調整されたサウンディング基準信号を送信するステップと、を含む方法を実行させるように構成される。
【００１４】
ある実施形態例によれば、ある方法は、サウンディング基準信号ビームペアのサウンディング基準信号送信電力を調整するために使用すべきアップリンクデータチャネルビームペアのためのアップリンクデータチャネル電力制御パラメータセットをユーザ装置が複数のサウンディング基準信号リソースの各々について個別に選択するステップと、ユーザ装置が、選択されたアップリンクデータチャネル電力制御パラメータセットに基づいて、サウンディング基準信号のサウンディング基準信号送信電力を複数のサウンディング基準信号リソースの各々について調整するステップと、ユーザ装置が、複数の電力調整されたサウンディング基準信号の各々を、対応するサウンディング基準信号リソース及び対応するサウンディング基準信号ビームペアを介して送信するステップと、を含むことができる。
【００１５】
ある実施形態例によれば、ある装置は、少なくとも１つのプロセッサと、コンピュータ命令を含む少なくとも１つのメモリとを備え、コンピュータ命令が、少なくとも１つのプロセッサによって実行されると、装置に、サウンディング基準信号ビームペアのサウンディング基準信号送信電力を調整するために使用すべきアップリンクデータチャネルビームペアのためのアップリンクデータチャネル電力制御パラメータセットをユーザ装置が複数のサウンディング基準信号リソースの各々について個別に選択することと、ユーザ装置が、選択されたアップリンクデータチャネル電力制御パラメータセットに基づいてサウンディング基準信号のサウンディング基準信号送信電力を複数のサウンディング基準信号リソースの各々について調整することと、ユーザ装置が、複数の電力調整されたサウンディング基準信号の各々を、対応するサウンディング基準信号リソース及び対応するサウンディング基準信号ビームペアを介して送信することと、を行わせる。
【００１６】
ある実施形態例によれば、ある装置は、少なくとも１つのプロセッサと、コンピュータ命令を含む少なくとも１つのメモリとを備え、コンピュータ命令が、少なくとも１つのプロセッサによって実行されると、装置に、サウンディング基準信号ビームペアのサウンディング基準信号送信電力を調整するために使用すべきアップリンクデータチャネルビームペアのためのアップリンクデータチャネル電力制御パラメータセットをユーザ装置が複数のサウンディング基準信号リソースの各々について個別に選択する手段と、ユーザ装置が、選択されたアップリンクデータチャネル電力制御パラメータセットに基づいてサウンディング基準信号のサウンディング基準信号送信電力を複数のサウンディング基準信号リソースの各々について調整する手段と、ユーザ装置が、複数の電力調整されたサウンディング基準信号の各々を、対応するサウンディング基準信号リソース及び対応するサウンディング基準信号ビームペアを介して送信する手段と、を含む。
【００１７】
ある実施形態例によれば、あるコンピュータプログラム製品は、コンピュータ可読記憶媒体を含むとともに実行可能コードを記憶しており、この実行可能コードが、少なくとも１つのデータ処理装置によって実行されると、少なくとも１つのデータ処理装置に、サウンディング基準信号ビームペアのサウンディング基準信号送信電力を調整するために使用すべきアップリンクデータチャネルビームペアのためのアップリンクデータチャネル電力制御パラメータセットをユーザ装置が複数のサウンディング基準信号リソースの各々について個別に選択するステップと、ユーザ装置が、選択されたアップリンクデータチャネル電力制御パラメータセットに基づいてサウンディング基準信号のサウンディング基準信号送信電力を複数のサウンディング基準信号リソースの各々について調整するステップと、ユーザ装置が、複数の電力調整されたサウンディング基準信号の各々を、対応するサウンディング基準信号リソース及び対応するサウンディング基準信号ビームペアを介して送信するステップと、を含む方法を実行させるように構成される。
【００１８】
添付図面及び以下の説明に、１又は２以上の実施形態例の詳細を示す。説明及び図面、並びに特許請求の範囲からは、他の特徴も明らかになるであろう。
【図面の簡単な説明】
【００１９】
【図１】ある実施形態例による無線ネットワークのブロック図である。
【図２】ある実施形態例による、基地局の動作を示すフローチャートである。
【図３】ある実施形態例による、ユーザ装置の動作を示すフローチャートである。
【図４】別の実施形態例による、ユーザ装置の動作を示すフローチャートである。
【図５】ある実施形態例による、ＰＵＳＣＨ及びＳＲＳのための異なるビームペアを示す図である。
【図６】異種ネットワークにおけるＰＵＳＣＨ及びＳＲＳ信号のための異なるビームペアを示す図である。
【図７】ある実施形態例による明示的な動的シグナリングを示す図である。
【図８】ある実施形態例による、複数のＳＲＳリソースのためのＰＵＳＣＨ電力制御パラメータセットのリンク（又は選択）を示す図である。
【図９】別の実施形態例による、基地局及びユーザ装置（ＵＥ）の動作を示す図である。
【図１０】ある実施形態例による、ノード又は無線局（例えば、基地局／アクセスポイント、又は移動局／ユーザ装置）のブロック図である。
【発明を実施するための形態】
【００２０】
図１は、ある実施形態例による無線ネットワーク１３０のブロック図である。図１の無線ネットワーク１３０において、移動局（ＭＳ）又はユーザ機器（ＵＥ）と呼ぶこともできるユーザ装置１３１、１３２、１３３及び１３５は、アクセスポイント（ＡＰ）、拡張ＮｏｄｅＢ（ｅＮＢ）又はネットワークノードと呼ぶこともできる基地局（ＢＳ）１３４に接続（及び通信）可能である。アクセスポイント（ＡＰ）、基地局（ＢＳ）又は（ｅ）ＮｏｄｅＢ（ｅＮＢ）の機能の少なくとも一部は、リモートラジオヘッドなどのトランシーバに動作可能に結合できる任意のノード、サーバ又はホストによって実行することもできる。ＢＳ（又はＡＰ）１３４は、セル１３６内で、ユーザ装置１３１、１３２、１３３及び１３５を含む無線カバレッジを提供する。ＢＳ１３４には４つのユーザ装置のみが接続又は結合されているように示しているが、任意の数のユーザ装置が提供されていてもよい。ＢＳ１３４は、Ｓ１インターフェイス１５１を介してコアネットワーク１５０にも接続される。これは無線ネットワークの１つの簡単な例にすぎず、他のものを使用することもできる。
【００２１】
ユーザ装置（ユーザ端末、ユーザ機器（ＵＥ））は、加入者識別モジュール（ＳＩＭ）の有無にかかわらず動作する無線モバイル通信装置を含むポータブルコンピュータ装置を意味することができ、限定ではなく一例として、移動局（ＭＳ）、携帯電話機、セル式携帯電話機、スマートホン、携帯情報端末（ＰＤＡ）、ハンドセット、無線モデムを使用する装置（アラーム装置又は測定装置など）、ラップトップ及び／又はタッチ画面式コンピュータ、タブレット、ファブレット、ゲーム機、ノートブック及びマルチメディア装置といったタイプの装置を含む。ユーザ装置は、例えば画像又はビデオクリップをネットワークにロードするカメラ又はビデオカメラなどの、ほぼアップリンク専用の装置とすることもできると理解されたい。
【００２２】
（一例として）ＬＴＥにおいて、進化型パケットコア（ＥＰＣ）と呼ばれることもあるコアネットワーク１５０は、複数のＢＳ間でのユーザ装置のモビリティ／ハンドオーバを処理又は支援できるモビリティ管理エンティティ（ＭＭＥ）、ＢＳとパケットデータネットワーク又はインターネットとの間でデータを転送し信号を制御できる１又は２以上のゲートウェイ、及びその他の制御機能又は制御ブロックを含むことができる。
【００２３】
様々な実施形態例は、ＬＴＥ、ＬＴＥ−Ａ、５Ｇ、センチ波及び／又はミリ波帯ネットワーク、又は他のいずれかの無線ネットワークなどの様々な無線技術又は無線ネットワークに適用することができる。ＬＴＥ、５Ｇ、センチ波及びミリ波帯ネットワークは一例として示すものであり、様々な実施形態例は、あらゆる無線技術／無線ネットワークに適用することができる。
【００２４】
様々な実施形態例は、例えば、説明のための実施形態例による、マッシブＭＩＭＯ（多入力多出力）をサポートし、例えばセンチ波周波数（例えば、３ＧＨｚ以上）又はミリ波周波数などの高キャリア周波数で動作するように最適化された、５Ｇ無線アクセスシステム（又は他のシステム）に関するものでもよい。通常、これらの例示的なシステムは、経路損失の増加を補償する高アンテナ利得の必要性と、増加し続ける無線トラフィックに対応するための高容量且つ高スペクトル効率の必要性とにより特徴づけられる。ある実施形態例によれば、高キャリア周波数での減衰の増加を、例えばマッシブ（多素子）アンテナアレイと、これに対応した、アクセスポイント（ＡＰ）／基地局（ＢＳ）及び／又はユーザ装置でのビームフォーミングを介したアンテナ利得とを導入することによって補償することができる。通常、スペクトル効率は、システムがサポートできる空間ストリームの数、従ってＢＳのアンテナポートの数によって改善することができる。ある実施形態例によれば、空間多重化は、独立の個別に符号化されたデータ信号、いわゆるストリームを、複数の送信アンテナの各々から送信するＭＩＭＯ無線通信における送信技術を含んでもよい。
【００２５】
例えば、通常、マッシブ多入力多出力（Ｍ−ＭＩＭＯ）システムでは、送信機及び／又は受信機（例えば、基地局／アクセスポイント又は他のネットワークノード）において数多くのアンテナ素子を使用することができる。通常、Ｍ−ＭＩＭＯは、より多くの空間リンク／レイヤを有して、より多くの空間的自由度を提供することができる。１つの例では、ＭＩＭＯ又はＭ−ＭＩＭＯ送信機が、良好に設計されたアンテナの重みづけを用いて、空間分離に優れた比較的細いビームを生成することができる。従って、このような送信機は、高いビームフォーミング利得を達成し、空間的干渉域を低減し、高い複数ユーザ空間多重化利得を得ることができる。通常、ＭＩＭＯ又はＭ−ＭＩＭＯシステムは、他のシステムと比べてデータレート及びリンク信頼度の面で優れた性能を有することができる。
【００２６】
例えば、図１に示すように、通常はセルをカバーするために、例えばビーム１、ビーム２、ビーム３及び最大Ｎ個のビームなどの複数のビームが使用される。しかしながら、多くの場合、例えばコスト及び複雑度を抑えるためにビームの一部しか同時に作動することができない。従って、ビーム掃引（ｂｅａｍ  ｓｗｅｅｐｉｎｇ）を利用して、複数のビーム又は複数組のビームの各々を介して複数の期間にわたって信号を送信してもよい。ビーム掃引は、各ビーム又は１組の複数ビームを、複数の期間にわたって作動させることを含んでもよい。また、ユーザ装置は、各ビームの基準信号を測定し、その後１又は２以上の好ましいビームを特定する（例えば、受信電力又は受信信号強度又はその他のチャネル品質測定値が最も高いビームを、１又は２以上の好ましい又は最良のダウンリンク送信ビームとして特定する）ビームレポートをＢＳに送信するようにビーム管理（又はビーム追跡）を実行してもよい。従って、例えば、ビーム掃引を実行して時間領域内で複数組のビームの各々を生成し又は作動させ、あるセルに亘って信号を送信し又は異なるビームを介して信号を受信してもよい。例えば、実装に応じて、ある時間において、１つのビームのみをアクティブにすることも、あるいは１組のビーム（例えば、３つのビーム、４つのビーム、６つのビーム、又は他の数のビーム）をアクティブにすることもできる。例えば、ユーザ装置又はＢＳは、通常はある時間において１つのビームのみのために又はある時間において１組のビームのみのために、基準信号（ＲＳ）などの様々な制御信号を送信又は受信してもよい。
【００２７】
ユーザ装置とＢＳの間の送信はビームペアを介して行うことができ、ビームペアはＢＳが適用するビームとユーザ装置が適用するビームとを含んでよい。例えば、ユーザ装置からＢＳへのアップリンク送信では、ビームペアは、ユーザ装置が適用する送信ビームと、ＢＳが適用する受信ビームとを含むことができる。同様に、ダウンリンク送信では、ＢＳが適用する送信ビームと、ユーザ装置が適用する受信ビームとを含むビームペアを使用することができる。
【００２８】
ある実施形態例によれば、１又は２以上のユーザ装置は、例えば物理アップリンク共有チャネル（ＰＵＳＣＨ）チャネルなどのアップリンクデータチャネルを介して、アップリンクデータをＢＳに送信することができる。ある実施形態例によれば、ユーザ装置は、アップリンクデータチャネル（例えば、ＰＵＳＣＨ）電力制御パラメータセットを使用して電力制御を実行し、例えばアップリンクデータチャネルを介して（例えば、ＰＵＳＣＨチャネルを介して）送信するデータ（又は他の信号）の送信電力を調整することができる。複数のビームペアの各々について、異なる（又はビーム固有の）アップリンクデータチャネル（例えば、ＰＵＳＣＨ）電力制御パラメータセットを（例えば、複数のアップリンクデータチャネルビームペア又はＰＵＳＣＨビームペアの各々について異なる電力制御パラメータセットを）選択又は決定することができる。例えば、各異なるアップリンクデータチャネル（又はＰＵＳＣＨ）電力制御パラメータセットは、他の（１又は２以上の、或いは全ての）アップリンクデータチャネル電力制御パラメータセットとは値が異なる少なくとも１つのパラメータを含むことができる。
【００２９】
従って、例えば、複数のＰＵＳＣＨビームペアの各々について異なる（又はビーム固有の）ＰＵＳＣＨ電力制御パラメータセットを決定又は取得して、例えば対応するビームペアを介してＰＵＳＣＨチャネル上でデータを送信するための送信電力をユーザ装置が調整できるようにすることができる。上述したように、（ユーザ装置からＢＳへの）アップリンク送信では、ビームペアが、ユーザ装置の（又はユーザ装置が適用する）送信ビームと、ＢＳの（又はＢＳが適用する）受信ビームとを含むことができる。例えば、ユーザ装置は、ビームペアの（又は複数のビームペアの各々の）ＰＵＳＣＨ電力制御パラメータセットを使用して電力制御を実行し、例えばＰＵＳＣＨ（又はアップリンクデータチャネル）を介してアップリンクで送信されるアップリンクデータの送信（又は伝送）電力を調整することができる。一般に、信号送信のための電力制御は、例えば不必要な干渉を回避するとともに、消費電力を削減するのに役立つことがある。
【００３０】
ある実施形態例によれば、ユーザ装置は、ＢＳに（アップリンク）サウンディング基準信号（ＳＲＳ）を送信することができる。例えば、ユーザ装置は、ＢＳにサウンディング基準信号（ＳＲＳ）を送信して、ＢＳがアップリンクチャネル状態を異なる周波数で推定できるようにすることができる。ある実施形態例によれば、例えばＢＳスケジューラがチャネル状態推定値を使用して、アップリンクＰＵＳＣＨ送信のための良好なチャネル品質を有するリソースブロックを割り当てる（例えば、アップリンクチャネル依存のスケジューリング）とともに、（例えば、データレートなどの）異なる送信パラメータや、アップリンクマルチアンテナ送信に関連する異なるパラメータを選択することができる。例えば、ＳＲＳ信号は、等間隔又は一定の周期で送信される周期的ＳＲＳ信号と、周期的でない（例えば、等間隔で送信されない）非周期的ＳＲＳ信号とを含むことができる。
【００３１】
ある実施形態例によれば、複数の異なる時間−周波数リソースを介してＳＲＳ信号を送信することができる。チャネル状態は時間変化及び／又は周波数変化するので、ＳＲＳリソース毎に異なるビームペアを決定することができる。従って、例えば、異なるＳＲＳリソースを介して送信される各ＳＲＳ信号は、（例えば、ユーザ装置のアップリンクビーム又はＢＳの受信ビームを含む）異なるビームペアを有し、又は異なるビームペアを介して送信することができる。従って、この点において、ＳＲＳリソース毎に異なるビームペアが存在することができる。
【００３２】
また、電力制御はＳＲＳ信号毎に適用されてもよく、例えば各ＳＲＳ信号の送信電力が調整されてもよい。ある実施形態例によれば、ユーザ装置は、ＳＲＳ信号の送信電力を調整するために使用すべきアップリンクデータチャネル（例えばＰＵＳＣＨ）チャネル電力制御パラメータセットを複数のＳＲＳリソースの各々について個別に決定してもよい。従って、例えば、ユーザ装置がサウンディング基準信号送信電力の調整で用いるために選択されるＰＵＳＣＨ電力制御パラメータセットは、ＳＲＳリソース毎に（又はＳＲＳ信号毎に）選択されてもよい。ＳＲＳ信号の電力制御で用いるために選択されるＰＵＳＣＨ電力制御パラメータセットは、ＰＵＳＣＨ送信電力とＳＲＳ信号送信電力の間のリンク（関連性）又は関係性を提供するので、例えば、リンク付きＰＵＳＣＨ電力制御パラメータセットと呼ぶことができる。異なるＳＲＳリソース毎に（異なるＳＲＳリソースを介して送信されるＳＲＳ信号毎に）別個の又は独立したビームペアを提供することができるので、異なる及び／又は独立したＰＵＳＣＨ電力制御パラメータセットが各ＳＲＳリソース／ＳＲＳ信号の電力制御に使用されるものとして選択又は決定されてもよい。
【００３３】
ある実施形態例によれば、ＰＵＳＣＨビームペアとＳＲＳビームペアが一致する場合、ＰＵＳＣＨビームペアのためのリンク付きＰＵＳＣＨ電力制御パラメータセットが、ＳＲＳ信号／ＳＲＳ信号リソースの電力制御の実行用として選択されてもよい。そのため、例えばＳＲＳ信号又はＳＲＳリソースのビームペアとＰＵＳＣＨビームペアとが一致する（例えば、同じ送信ビーム及び受信ビームを有する）ようにしてもよい。そして、この一致するＰＵＳＣＨビームペアについてのＰＵＳＣＨ電力制御パラメータセットが、ユーザ装置によりＳＲＳリソースのＳＲＳ信号送信電力を調整する際に使用されるリンク付きＰＵＳＣＨ電力制御パラメータセットとして選択されてもよい。
【００３４】
ある実施形態例によれば、ユーザ装置は、異なる技術を使用して、あるＳＲＳリソースについてのリンク付きＰＵＳＣＨ電力制御パラメータセットを選択又は決定してもよい。例えば、ユーザ装置は、１）ＰＵＳＣＨ（即ちアップリンクデータチャネル）ビームペアがＳＲＳビームペアに一致すると判断し、その後に２）ＰＵＳＣＨビームペアに一致するＳＲＳビームペアを有するＳＲＳ信号の（ＳＲＳリソースのための）ＳＲＳ送信電力を調整するためのＰＵＳＣＨ（即ちアップリンクデータチャネル）ビームペアについてのＰＵＳＣＨ電力制御パラメータセットを選択することによって、ある１つのＳＲＳリソース（又は各ＳＲＳリソース）についてのリンク付きＰＵＳＣＨ電力制御パラメータセットを非明示的に（例えば、ＰＵＳＣＨビームペアとＳＲＳビームペアとの間の一致するビームペアに基づいて）決定することができる。あるいは、ユーザ装置は、１）ＳＲＳ送信電力を調整するために使用すべきＰＵＳＣＨ電力制御パラメータセットを複数のＳＲＳリソースの各々について示す制御情報をＢＳから受け取り、２）受け取った複数のＳＲＳリソースの各々の制御情報に基づいて、複数のＳＲＳ信号又はＳＲＳリソースの各々の電力制御に使用すべきリンク付きＰＵＳＣＨ電力制御パラメータセットを選択することによって、リンク付きＰＵＳＣＨ（即ちアップリンクデータチャネル）電力制御パラメータセットを（例えば、ＢＳから受け取った制御情報に基づいて）明示的に決定することもできる。
【００３５】
ある実施形態例によれば、複数のＳＲＳ信号／ＳＲＳリソースの各々についてのリンク付きＰＵＳＣＨ電力制御パラメータセットを示すＢＳからの制御情報を、周期的ＳＲＳ信号については上位層信号を介して（例えば、無線リソース制御（ＲＲＣ）シグナリングを介して）、非周期的ＳＲＳ信号については下位層シグナリングを介して（例えば、物理ダウンリンク制御チャネル（ＰＤＣＣＨ）のダウンリンク制御情報（ＤＣＩ）を介して）ユーザ装置に伝えることができる。
【００３６】
また、ユーザ装置は、（例えば、ＳＲＳ信号の電力制御に使用する）ＳＲＳ送信についての諸元（ｎｕｍｅｒｏｌｏｇｙ）を識別する情報をＢＳから受け取ることもできる。例えば、異なる諸元については、異なるリンク付きＰＵＳＣＨ電力制御パラメータセットが存在してもよい。また、ＰＵＳＣＨビームペアのためのＰＵＳＣＨ電力制御パラメータセットと、ＳＲＳリソース／ＳＲＳビームペアのためのリンク付きＰＵＳＣＨ電力制御パラメータセットとが同じ諸元を有していてもよい。例えば、諸元には、１又は２以上の送信特性又は通信特性に関する異なる量、長さ又は間隔の情報が含まれる。従って、例えば一例として、諸元には、サブキャリア間隔、サブフレーム（又はスロット）長、ＯＦＤＭシンボル期間、又はその他の時間／周波数特性が含まれる。従って、例えば、少なくともいくつかの例では、５ＧのＢＳ又はユーザ装置がＬＴＥ／４Ｇ又はその他の規格との後方互換性を有することもあるので、５Ｇ無線／ネットワーク装置は、異なる諸元（例えば、５Ｇの諸元及び４Ｇの諸元）をサポートしてもよい。
【００３７】
また、ユーザ装置は、チャネル状態情報−基準信号（ＣＳＩ−ＲＳ）を受け取って経路損失を測定し又は求めてもよく、例えば複数のビームペアの各々についての経路損失を求めてもよい。ユーザ装置は、ＢＳから、ＳＲＳ送信電力を設定又は調整する際に使用できる（例えば、ＰＵＳＣＨ電力信号の送信電力に関する）ＳＲＳ電力オフセットの指示を受け取ってもよい。従って、ある実施形態例では、ユーザ装置は、例えばＳＲＳ信号／ＳＲＳリソースについてのリンク付きＰＵＳＣＨ電力制御パラメータセット、ＳＲＳ信号／ＳＲＳリソースの諸元、電力オフセット（例えば、ＳＲＳ電力オフセット）、及び経路損失（例えば、ＳＲＳビームペアについての又はこれに対応する経路損失）に基づいて、ある１つのＳＲＳ信号（又は各ＳＲＳ信号）の送信電力を調整又は設定してもよい。
【００３８】
また、上述したように、ユーザ装置は、例えばＢＳに最新の好ましい（又は最良の）ビーム情報をレポートするために、ビーム管理のためのビーム掃引を実行することもできる（例えば、この場合、ユーザ装置は、異なるビーム／ビームペアの信号を受け取って測定し、１又は２以上の好ましい又は最良のビームペア又は最良の／好ましいダウンリンク送信ビームを選択して又はＢＳにレポートすることができる）。ユーザ装置は、ビーム管理のためのビーム掃引のＳＲＳ送信電力を設定する際には、（異なる又はビーム固有のＰＵＳＣＨ電力制御パラメータセットを使用するのではなく）全ての（又は複数の）ＳＲＳビームペアに対して１つのリンク付きＰＵＳＣＨ電力制御パラメータセットを選択／使用することができる。例えば、ユーザ装置は、ビーム管理のためのビーム掃引中に、ＰＵＳＣＨチャネルを介してデータを送信するために最近使用されたＰＵＳＣＨ電力制御パラメータセットを、全ての（又は少なくとも複数の）ＳＲＳ信号／ＳＲＳリソースのためのリンク付きＰＵＳＣＨ電力制御パラメータセットとして選択／使用してもよい。この理由は、例えばビーム管理中にはユーザ装置が異なるリソースにとって最良の又は好ましい（単複の）ビームペアを認識していない可能性があるからである。別の例によれば、ユーザ装置は、ＢＳがユーザ装置にシグナリング又は指示したリンク付きＰＵＳＣＨ電力制御パラメータセットを選択してもよい。
【００３９】
例１：図２は、ある実施形態例による基地局の動作を示すフローチャートである。動作２１０は、基地局が、アップリンクデータチャネルビームペアのアップリンクデータチャネル電力制御パラメータセットを決定するステップを含む。動作２２０は、基地局が、サウンディング基準信号リソースのための基地局受信ビームとユーザ装置送信ビームとを含むサウンディング基準信号ビームペアを決定するステップを含む。動作２３０は、基地局が、サウンディング基準信号ビームペアに一致するアップリンクデータチャネルビームペアに基づいて、ユーザ装置がサウンディング基準信号送信電力を調整するために使用すべきアップリンクデータチャネル電力制御パラメータセットを選択するステップを含む。また、動作２４０は、基地局が、サウンディング基準信号リソース及びサウンディング基準信号ビームペアを介してユーザ装置から、アップリンクデータチャネル電力制御パラメータセットに基づいて設定されたサウンディング基準信号送信電力を有するサウンディング基準信号を受け取るステップを含む。
【００４０】
例２：例１の実施形態例において、アップリンクデータチャネル電力制御パラメータセットを決定する前記ステップは、第１のアップリンクデータチャネルビームペアのための第１のアップリンクデータチャネル電力制御パラメータセットと、第２のアップリンクデータチャネルビームペアのための第２のアップリンクデータチャネル電力制御パラメータセットとを決定することを含んだ、複数のアップリンクデータチャネルビームペアの各々のためのアップリンクデータチャネル電力制御パラメータセットを決定するステップを含み；サウンディング基準信号リソースのサウンディング基準信号ビームペアを決定する前記ステップは、第１のサウンディング基準信号リソースのための第１のサウンディング基準信号ビームペアを決定するステップと、第２のサウンディング基準信号リソースのための第２のサウンディング基準信号ビームペアを決定するステップとを含んだ、複数のサウンディング基準信号リソースの各々のためのサウンディング基準信号ビームペアを決定するステップを含み；前記選択するステップは、第１のアップリンクデータチャネルビームペアと第１のサウンディング基準信号ビームペアとの間の一致に基づいて、第１のサウンディング基準信号リソースのためのサウンディング基準信号送信電力を調整するためにユーザ装置が使用すべき第１のアップリンクデータチャネルビームペアのための第１のアップリンクデータチャネル電力制御パラメータセットを選択するステップと、第２のアップリンクデータチャネルビームペアと第２のサウンディング基準信号ビームペアとの間の一致に基づいて、第２のサウンディング基準信号リソースのためのサウンディング基準信号送信電力を調整するためにユーザ装置が使用すべき第２のアップリンクデータチャネルビームペアのための第２のアップリンクデータチャネル電力制御パラメータセットを選択するステップと、を含む。
【００４１】
例３：例１又は２の実施形態例において、アップリンクデータチャネルビームペアのためのアップリンクデータチャネル電力制御パラメータセットは、ＰＵＳＣＨビームペアのための物理アップリンク共有チャネル（ＰＵＳＣＨ）電力制御パラメータセットを含む。
【００４２】
例４：例１〜３のいずれかの実施形態例において、前記方法は、基地局が、サウンディング基準信号送信電力を調整するために使用すべきアップリンクデータチャネル電力制御パラメータセットを識別する制御情報をユーザ装置に送信するステップを更に含む。
【００４３】
例５：例１〜４のいずれかの実施形態例において、制御情報は、周期的サウンディング基準信号については上位層シグナリングを介して送信され、制御情報は、非周期的サウンディング基準信号については下位層シグナリングを介して送信される。
【００４４】
例６：例１〜５のいずれかの実施形態例において、制御情報は、周期的サウンディング基準信号については無線リソース制御（ＲＲＣ）シグナリングを介して送信され、制御情報は、非周期的サウンディング基準信号については物理ダウンリンク制御チャネル（ＰＤＣＣＨ）ダウンリンク制御情報（ＤＣＩ）を介して送信される。
【００４５】
例７：例１〜６のいずれかの実施形態例において、制御情報は、物理ダウンリンク制御チャネル（ＰＤＣＣＨ）ダウンリンク制御情報（ＤＣＩ）を介して提供される、１）上位層シグナリングによって構成された、サウンディング基準信号を送信するために使用すべきサウンディング基準信号パラメータセットと、２）サウンディング基準信号送信電力を調整するために使用すべきアップリンクデータチャネル電力制御パラメータセットと、を識別する制御情報を含む。
【００４６】
例８：例１〜３のいずれかの実施形態例において、前記方法は、基地局が、サウンディング基準信号送信のためにユーザ装置が使用すべき諸元を識別する情報をユーザ装置に送信するステップを更に含む。
【００４７】
例９：例１〜８のいずれかの実施形態例において、基地局が、アップリンクデータチャネルに関するサウンディング基準信号送信電力の電力オフセットを識別する情報をユーザ装置に送信するステップを更に含む。
【００４８】
例１０：例１〜９のいずれかの実施形態例において、基地局が、ユーザ装置が１又は２以上のビームペアの経路損失を特定できるようにするためのチャネル状態情報−基準信号をユーザ装置に送信するステップを更に含む。
【００４９】
例１１：ある実施形態例によれば、ある装置が少なくとも１つのプロセッサとコンピュータ命令を含む少なくとも１つのメモリとを含み、コンピュータ命令が少なくとも１つのプロセッサによって実行されると例１〜１０のいずれかの方法をその装置に実行させる。
【００５０】
例１２：ある装置は、例１〜１０のいずれかの方法を実行する手段を含む。
【００５１】
例１３：ある装置が非一時的コンピュータ可読記憶媒体を含み実行可能コードを記憶するコンピュータプログラム製品を含み、実行可能コードが少なくとも１つのデータ処理装置によって実行されると少なくとも１つのデータ処理装置に例１〜１０のいずれかの方法を実行させるように構成されている。
【００５２】
例１４：図３は、ある実施形態例によるユーザ装置の動作を示すフローチャートである。動作３１０は、ユーザ装置が、アップリンクデータチャネルビームペアのためのアップリンクデータチャネル電力制御パラメータセットを基地局から受け取るステップを含む。動作３２０は、ユーザ装置が、サウンディング基準信号リソースのための、基地局受信ビームとユーザ装置送信ビームとを含むサウンディング基準信号ビームペアを決定するステップを含む。動作３３０は、ユーザ装置が、サウンディング基準信号送信電力を調整するためにアップリンクデータチャネル電力制御パラメータセットを選択するステップを含む。動作３４０は、ユーザ装置が、アップリンクデータチャネル電力制御パラメータセットに基づいて、サウンディング基準信号リソースを介して送信するサウンディング基準信号のためのサウンディング基準信号送信電力を調整するステップを含む。動作３５０は、ユーザ装置が、サウンディング基準信号リソース及びサウンディング基準信号ビームペアを介して、電力調整されたサウンディング基準信号を送信するステップを含む。
【００５３】
例１５：例１４の実施形態例において、アップリンクデータチャネル電力制御パラメータセットを受け取る前記ステップは、第１のアップリンクデータチャネルビームペアのための第１のアップリンクデータチャネル電力制御パラメータセットを受け取るステップと、第２のアップリンクデータチャネルビームペアのための第２のアップリンクデータチャネル電力制御パラメータセットを受け取るステップとを含んだ、複数のアップリンクデータチャネルビームペアの各々のためのアップリンクデータチャネル電力制御パラメータセットを受け取るステップを含み；サウンディング基準信号ビームペアを決定する前記ステップは、第１のサウンディング基準信号リソースのための第１のサウンディング基準信号ビームペアを決定するステップと、第２のサウンディング基準信号リソースのための第２のサウンディング基準信号ビームペアを決定するステップとを含んだ、複数のサウンディング基準信号リソースの各々のためのサウンディング基準信号ビームペアを決定するステップを含み；前記選択するステップは、第１のサウンディング基準信号リソースのサウンディング基準信号送信電力を調整するための第１のアップリンクデータチャネル電力制御パラメータセットと、第２のサウンディング基準信号リソースのサウンディング基準信号送信電力を調整するための第２のアップリンクデータチャネル電力制御パラメータセットとを選択するステップを含む。
【００５４】
例１６：例１４又は１５の実施形態例において、選択するステップは、ユーザ装置が、アップリンクデータチャネルビームペアがサウンディング基準信号ビームペアに一致すると判定するステップと、ユーザ装置が、アップリンクデータチャネルビームペアがサウンディング基準信号ビームペアに一致することに基づいて、サウンディング基準信号送信電力を調整するためのアップリンクデータチャネル電力制御パラメータセットを選択するステップと、を含む。
【００５５】
例１７：例１４〜１６のいずれかの実施形態例において、選択するステップは、ユーザ装置が、サウンディング基準信号送信電力を調整するためにアップリンクデータチャネル電力制御パラメータセットを使用すべきであることを示す制御情報を基地局から受け取るステップと、ユーザ装置が、受け取った制御情報に基づいて、サウンディング基準信号送信電力を調整するためのアップリンクデータチャネル電力制御パラメータセットを選択するステップと、を含む。
【００５６】
例１８：例１４〜１７のいずれかの実施形態例において、アップリンクデータチャネルビームペアのためのアップリンクデータチャネル電力制御パラメータセットは、ＰＵＳＣＨビームペアのための物理アップリンク共有チャネル（ＰＵＳＣＨ）電力制御パラメータセットを含む。
【００５７】
例１９：例１４〜１８のいずれかの実施形態例において、制御情報は、周期的サウンディング基準信号については上位層シグナリングを介して受け取られ、制御情報は、非周期的サウンディング基準信号については下位層シグナリングを介して受け取られる。
【００５８】
例２０：例１４〜１９のいずれかの実施形態例において、制御情報は、周期的サウンディング基準信号については無線リソース制御（ＲＲＣ）シグナリングを介して受け取られ、制御情報は、非周期的サウンディング基準信号については物理ダウンリンク制御チャネル（ＰＤＣＣＨ）ダウンリンク制御情報（ＤＣＩ）を介して受け取られる。
【００５９】
例２１：例１４〜２０のいずれかの実施形態例において、制御情報は、物理ダウンリンク制御チャネル（ＰＤＣＣＨ）ダウンリンク制御情報（ＤＣＩ）を介して提供される、１）上位層シグナリングによって構成された、サウンディング基準信号を送信するために使用すべきサウンディング基準信号パラメータセットと、２）サウンディング基準信号送信電力を調整するために使用すべきアップリンクデータチャネル電力制御パラメータセットと、を識別する制御情報を含む。
【００６０】
例２２：例１４〜２１のいずれかの実施形態例において、ユーザ装置が、サウンディング基準信号送信のためにユーザ装置が使用すべき諸元を識別する情報を受け取るステップと、ユーザ装置が、アップリンクデータチャネルに関するサウンディング基準信号送信電力の電力オフセットを識別する情報を受け取るステップと、ユーザ装置が、サウンディング基準信号ビームペアに対応する経路損失をユーザ装置が決定できるようにするためのチャネル状態情報−基準信号を受け取るステップと、チャネル状態情報−基準信号に基づいて、サウンディング基準信号ビームペアに対応する経路損失を特定するステップと、を更に含み、調整するステップは、ユーザ装置が、アップリンクデータチャネル電力制御パラメータセット、諸元、電力オフセット及び経路損失に基づいてサウンディング基準信号送信電力を調整するステップを含む。
【００６１】
例２３：例１４〜２２のいずれかの実施形態例において、ユーザ装置が、サウンディング基準信号送信のためにユーザ装置が使用すべき諸元を識別する情報を受け取るステップをさらに含み、同じビームペアを使用するサウンディング基準信号及びアップリンクデータチャネルは、同じ諸元を有する。
【００６２】
例２４：例１４〜２３のいずれかの実施形態例において、ビーム管理のためのビーム掃引を実行する際に、１つのアップリンクデータチャネル電力制御パラメータセットを使用して複数のサウンディング基準信号ビームの各々のサウンディング基準信号送信電力を調整するステップをさらに含む。
【００６３】
例２５：例１４〜２４のいずれかの実施形態例において、１つのアップリンクデータチャネル電力制御パラメータセットは、アップリンクデータチャネルを介して基地局にアップリンクデータを送信するために使用されたアップリンクデータチャネル電力制御パラメータセットを含む。
【００６４】
例２６：装置が、少なくとも１つのプロセッサと、コンピュータ命令を含む少なくとも１つのメモリとを含み、コンピュータ命令が、少なくとも１つのプロセッサによって実行されると、例１４〜２５のいずれかの方法を装置に実行させる。
【００６５】
例２７：装置が、例１４〜２５のいずれかの方法を実行する手段を含む。
【００６６】
例２８：図４は、別の実施形態例によるユーザ装置の動作を示すフローチャートである。動作４１０は、ユーザ装置が、サウンディング基準信号ビームペアのサウンディング基準信号送信電力を調整するために使用するアップリンクデータチャネルビームペアのためのアップリンクデータチャネル電力制御パラメータセットを複数のサウンディング基準信号リソースの各々について独立して選択するステップを含む。動作４２０は、ユーザ装置が、選択されたアップリンクデータチャネル電力制御パラメータセットに基づいてサウンディング基準信号のサウンディング基準信号送信電力を複数のサウンディング基準信号リソースの各々について調整するステップを含む。動作４３０は、ユーザ装置が、複数の電力調整されたサウンディング基準信号の各々を、対応するサウンディング基準信号リソース及び対応するサウンディング基準信号ビームペアを介して送信するステップを含む。
【００６７】
例２９：例２８の実施形態例において、前記選択するステップは、複数のサウンディング基準信号リソースの各々について、アップリンクデータチャネルビームペアがサウンディング基準信号ビームペアに一致すると独立して判定するステップと、ユーザ装置が、アップリンクデータチャネルビームペアがサウンディング基準信号ビームペアに一致することに基づいて、アップリンクデータチャネルビームペアに一致するサウンディング基準信号ビームペアを有するサウンディング基準信号のサウンディング基準信号送信電力を調整するために、アップリンクデータチャネルビームペアのためのアップリンクデータチャネル電力制御パラメータセットを選択するステップと、を含む。
【００６８】
例３０：例２８又は２９の実施形態例において、選択するステップは、ユーザ装置が、サウンディング基準信号送信電力を調整するために使用すべきアップリンクデータチャネル電力制御パラメータセットを複数のサウンディング基準信号リソースの各々について示す制御情報を基地局から受け取るステップと、ユーザ装置が、受け取った複数のサウンディング基準信号リソースの各々についての制御情報に基づいて、サウンディング基準信号送信電力を調整するためのアップリンクデータチャネル電力制御パラメータセットを選択するステップと、を含む。
【００６９】
例３１：例２８〜３０のいずれかの実施形態例において、各アップリンクデータチャネルビームペアのためのアップリンクデータチャネル電力制御パラメータセットは、ＰＵＳＣＨビームペアのための物理アップリンク共有チャネル（ＰＵＳＣＨ）電力制御パラメータセットを含む。
【００７０】
例３２：装置が、少なくとも１つのプロセッサと、コンピュータ命令を含む少なくとも１つのメモリとを含み、コンピュータ命令が、少なくとも１つのプロセッサによって実行されると、例２８〜３１のいずれかの方法を装置に実行させる。
【００７１】
例３３：装置が、例２８〜３１のいずれかの方法を実行する手段を含む。
【００７２】
様々な実施形態例は、マッシブＭＩＭＯ（ｍ−ＭＩＭＯ）をサポートする（例えば、５Ｇ）無線システムに関する。これらのシステムは、より多くのアンテナ数、より良好なビームフォーミング、及びより高いアンテナ利得を特徴とする。詳細には、送信機側及び／又は受信機側の両方における柔軟なビームスイッチングに基づく拡張ＳＲＳ（サウンディング基準信号）電力制御スキームに関する。改善された又はより正確なＳＲＳ電力制御機構では、隣接セルからの干渉が低下するためＳＲＳ容量を増加させることができる。また、ＵＥの消費電力を削減することもできる。
【００７３】
ある実施形態例では、ＳＲＳ信号の電力制御が、一般に１つのオフセット値によってＰＵＳＣＨ信号の電力制御にリンクされる（関連付けられる）。詳細には、ＳＲＳ電力制御は、以下の方程式のように、又は少なくとも以下の方程式に基づいて記述することができる。
【００７４】
【数１】
2020503805.tif 000003
【００７５】
単位は［ｄＢｍ］である。ここで、ＰCMAX,c（ｉ）は特定のセルｃについて設定された最大許容送信電力であり、ＭSRS,c（ｉ）はＳＲＳ送信のためのアップリンクＰＲＢ（物理リソースブロック）の数であり、（各ＵＥの）ＰO_PUSCH,c（ｊ）はＰＵＳＣＨの準静的公称電力であり、ＰＬｃはＵＥにおいて推定されるサービングセルｃのｄＢ単位のダウンリンク経路損失であり（各ビームは固有の経路損失を有しうる）、αｃ（ｊ）はセル平均スループットとセルエッジスループットとの間のバランスを取るためのセル固有の経路損失補正係数であり、ｆｃ（ｉ）はサービングセルｃのＰＵＳＣＨ閉ループ電力調整部であり、ＰSRS_OFFSET,c（ｍ）は上位層によって（例えばＲＲＣシグナリングによって）準静的に設定されるＰＵＳＣＨ電力制御に関する電力調整用のオフセット値である。周期的及び非周期的ＳＲＳについて、２つの独立したオフセット値を使用してもよい。
【００７６】
一例として、ＰＵＳＣＨ信号の送信電力を決定するために使用できる１又は２以上のパラメータを含んでもよいＰＵＳＣＨ電力制御パラメータセットには、ＭSRS,c（ｉ）、ＰＬc、αｃ（ｊ）及び／又はｆｃ（ｉ）を含む１若しくは２以上の、又は全てが含まれてもよい（追加的なパラメータが含まれてもよい。）。本明細書で更に詳細に説明するように、リンク付きＰＵＳＣＨ電力制御パラメータセットは、例えばＰＵＳＣＨ信号及びＳＲＳ信号／ＳＲＳリソースによって使用されるビームペアに基づいて、１又は２以上のＳＲＳ信号／ＳＲＳリソースの各々のサウンディング基準信号送信電力の調整で用いるために選択されてもよい。
【００７７】
各ＰＵＳＣＨビームペアのためのＰＵＳＣＨ電力制御パラメータセット及びＳＲＳビームペアのためのリンク付きＰＵＳＣＨ電力制御パラメータセットを含む複数の（又は多数の）ＰＵＳＣＨ電力制御パラメータセットが存在しうる。これにより、異なるビームペアについて、ＳＲＳ電力とＰＵＳＣＨ電力の間の独立関係を可能にし又は提供することができる。複数の電力制御パラメータセットについて異なる状況が存在する場合があり、全ての又は複数の電力制御パラメータセットにおいて、パラメータのうちの１つ又は２つ以上が異なることも、及び／又は１又は２以上のパラメータが共通することもありえる。以下は、いくつかの例示的なケース例である。
【００７８】
ケース１：ＰＵＳＣＨ電力制御パラメータセットが独立した経路損失を含み、他のパラメータ（Ｐ０＿ＰＵＳＣＨ、アルファ）が全てのパラメータセット又はビームペアに共通してもよく、全てのパラメータセット／ビームペアのｆｃを決定するプロセスが１つ存在しえて、電力オフセット値が異なるパラメータセットについて同一の場合も異なる場合もある。
【００７９】
ケース２：パラメータセットがｐ０、アルファ、経路損失、及びｆｃ、オフセットを含み、異なるビームペア／パラメータセットについて全てのパラメータが独立しており、各パラメータセットが１つのビームペアのためのものであるか又は１つのビームペアに関連付けられていてもよい。従って状況２は、各パラメータセットが全てのパラメータについて独立した複数のパラメータを含むという最も一般的な状況に関する。
【００８０】
ケース３：パラメータセットが独立した経路損失及びｆｃを含んでもよく、Ｐ０＿ＰＵＳＣＨ及びアルファが全てのパラメータセットに共通しており、異なるパラメータセットでは電力オフセット値が同じでも異なっていてもよい。ＳＲＳ送信のための柔軟なアップリンク／ダウンリンクビームによって拡張されたＳＲＳ電力制御スキームの様々な実施形態例について説明する。
【００８１】
ある実施形態例によれば、送信ビーム及び／又は受信ビームの両方を、例えばネットワーク要件及びチャネル伝送条件に従って柔軟に変更してもよい。例えば、ＵＥでは、ＰＵＳＣＨのためのビームペア（送信ビーム及び／又は受信ビーム）とＳＲＳのためのビームペアとが異なっていてもよい（例えば、同種ネットワーク内で異なっていてもよい。）。従って、例えばＳＲＳのためのビームペアは、ＰＵＳＣＨ（アップリンクデータチャネル）の最新のアップリンク送信に使用されるビーム（ビームペア）と同じものでなくてもよい。むしろ、ある実施形態例によれば、ＰＵＳＣＨのためのビームペアとＳＲＳのためのビームペアは、独立して変化してもよい。
【００８２】
図５は、ある実施形態例による、ＰＵＳＣＨ及びＳＲＳのための異なるビームペアを示す図である。シナリオ１：複数のＵＥが送信について多重化されたときは、ビーム受信についての要件が揃わないことがある。いくつかのＵＥでは、他のＵＥとの多重化を保証（又は提供）するために準最適なｇＮＢ（５Ｇ  ＢＳ）受信ビームが選択されてもよい。図５に示す１つの例として、ＵＥ１は、ビーム１でのリンクの方がチャネル品質が良好であるにもかかわらず、１つのサブフレーム内でＵＥ２との多重化を行うために（又はこれに対応するために）ＰＵＳＣＨ送信ビームをビーム１からビーム２に変更する必要があるかもしれない。ビーム２でのリンクについてのＣＳＩ（チャネル状態情報）を取得するためにＳＲＳがトリガされた場合、（ＢＳは、一度に１つのＲＸ／受信ビームしか使用できないので）ＳＲＳ送信のためのビームは、ビーム１などの以前のＰＵＳＣＨ送信のためのビームと異なることとなる。
【００８３】
図６は、異種のネットワークにおけるＰＵＳＣＨ及びＳＲＳ信号のための異なるビームペアを示す図である。シナリオ２：図６に示すように、ｇＮＢ（５Ｇ  ＢＳ）は、ビーム１のリンク品質がそれほど良くないと判断すると、他のビームのＣＳＩを探索したり又はその取得を望んだりしてもよい。この場合、ｇＮＢ／ＢＳは、最近のＰＵＳＣＨ送信によって使用されたビームとは異なっていてもよい所望のビームを用いてＳＲＳ送信をトリガしてもよい。この例では、（例えば、異なる送信／受信ポイント、異なるＢＳを含む）異種ネットワークにおいて異なる送信電力が使用されてもよく、これによってＰＵＳＣＨとＳＲＳで異なる送信電力、従って異なるビームとなってもよい。異種（各ＵＥなどの複数の送信ポイント）ネットワークでは、ＰＵＳＣＨ及びＳＲＳのための送信ビーム及び／又は受信ビームは異なってもよい。例えば、チャネル可逆性を利用することにより、ダウンリンクＣＳＩを取得するためにＳＲＳを使用することができる。異なる送信ポイントでは送信電力が異なり得るので、ダウンリンクのビームとアップリンクのビームは異なり得る。図６に示すように、ダウンリンクＣＳＩを取得するためにＳＲＳが使用され、ＰＵＳＣＨのアップリンクビームと同じものではないダウンリンクビームにリンクされる。従って、例えば、より高い送信電力ＤＬ（ダウンリンク）、ＤＬデータと同じビームでＳＲＳがＴＸ（送信）されなければならず、例えばＢＳは、チャネル可逆性に基づいてＳＲＳ信号を使用してＤＬ  ＣＳＩを取得してもよい。従って、例えばＰＵＳＣＨ及びＳＲＳに異なるビームペア（又は少なくとも独立したビームペア）を使用してもよく又は異なるビームペアが必要となり得る。
【００８４】
複数のＳＲＳリソースの影響
ある実施形態例によれば、ＵＥの能力に応じて、１つのＵＥのために複数のＳＲＳリソース（Ｋ＞１）（ＳＲＳ信号を送信するための複数の時間−周波数ＳＲＳリソース）を構成してもよい。異なるＳＲＳリソースを使用して、アップリンク及びダウンリンクＣＳＩの取得、アップリンクビームの管理（アップリンク及びダウンリンクビームペアの選択及びレポート方法）などの異なる機能を実現することができる。例えば、機能及び要件が複数存在するので、異なるＳＲＳリソース上のビームフォーミング（ビームペア）又はプリコーディングも異なっていてもよい。同一の又は異なる送信ポイントに送信できる、従ってｇＮＢにおいて同一の又は異なるＲｘビームによって受け取られるアップリンクＣＳＩのために、プリコーディングされたＳＲＳには異なるプリコーディングを使用してもよい。また、例えばビーム管理のために複数のビーム掃引を用いてもよい―複数ビームのセットに信号を適用して各ビーム又はビームセットを介して掃引してもよい。従って、（異なるビームを意味する）ビームフォーミング利得は、異なるＳＲＳリソースについて異なってもよい。従って、ある実施形態例によれば、ＰＵＳＣＨ電力制御に使用されるＰＵＳＣＨ電力制御パラメータセットとＳＲＳ電力制御との間に柔軟な関係性を提供することができる、例えばＰＵＳＣＨビームペアとＳＲＳビームペアとの間の一致に基づいて、ＰＵＳＣＨ電力制御パラメータセットをＳＲＳ電力制御のためのＳＲＳ信号にリンクすることができる。
【００８５】
ある実施形態例によれば、例えばｍ−ＭＩＭＯシステムのための柔軟なビームフォーミングを用いた動作にとって特に有利となり得る更に正確なＳＲＳ電力制御スキームが提供又は説明される。ある実施形態例によれば、明示的シグナリング（ＳＲＳ信号／ＳＲＳリソースのためのリンク付きＰＵＳＣＨ電力制御パラメータセットを示すＢＳからの制御情報）、又はＵＥ／ユーザ装置によるＳＲＳ信号のためのリンク付きＰＵＳＣＨ電力制御パラメータセットの非明示的決定を用いて、ＰＵＳＣＨとＳＲＳとの間の電力制御パラメータセットの関係性を決定することができる。このように、（ＳＲＳ送信電力の調整において使用される）適切に選択されたリンク付きＰＵＳＣＨ電力制御パラメータセットによって、ＳＲＳのビームフォーミング利得（異なるビームペア）の変化を補正することができる。複数のＳＲＳリソースを構成する際には、異なるＳＲＳリソース上の柔軟なビームフォーミングに起因して、ＰＵＳＣＨとＳＲＳとの間の電力制御パラメータセットのリンクをＳＲＳリソース毎に決定することができる。ビーム管理ＳＲＳでは、全ての又は複数のＳＲＳ信号／ＳＲＳリソースのリンクに１つのＰＵＳＣＨ電力制御パラメータセットを使用することができ、例えば全ての掃引ビームの情報は限られているので、例えばＳＲＳ電力制御に最新のＰＵＳＣＨ電力制御パラメータセット又はデフォルトのＰＵＳＣＨ電力制御パラメータセットを使用することができる。
【００８６】
ＳＲＳとＰＵＳＣＨの間の電力制御パラメータセットの関係性
ある実施形態例によれば、ＵＥは、ＳＲＳ電力制御に異なるパラメータセットを使用することができ、ＢＳは、ＳＲＳ電力制御にどの電力制御パラメータセットが使用されるかを示してもよい（ＵＥにシグナリングしてもよい）。各パラメータは、Ｐ０、(アルファ)、経路損失及び／又は閉ループ関連パラメータ、ｆｃなどの、電力制御パラメータセットの１又は２以上のパラメータについて異なる値を有することができる。
【００８７】
従って、例えば、データ送信のための柔軟なビームフォーミングをサポートするために、異なるビームペアを有するＰＵＳＣＨに異なるＰＵＳＣＨ電力制御パラメータセットを使用し、これを使用してＰＵＳＣＨ信号の電力を調整することができ、例えば各ＰＵＳＣＨビームペアに異なるパラメータセット（ＵＥではＵＬ  ＴＸ／送信ビーム、及びＢＳではＵＬ  ＲＸ／受信ビーム）を使用することができる。１つのケース：各ビームぺアが異なるパラメータセットを必要としてもよい。ＰＵＳＣＨ  １つのリンク付きＰＵＳＣＨ電力制御パラメータセットは、ＳＲＳ電力とＰＵＳＣＨ電力との間の関係性（即ち関連性）を定義する。複数のＰＵＳＣＨ電力制御パラメータセットについては、開ループ関連パラメータ、Ｐ０、(アルファ)、経路損失及び／又は閉ループ関連パラメータ、ｆｃなどを含んでもよい複数のＰＵＳＣＨ電力制御パラメータセットのうちの少なくとも１つが異なりうる。
【００８８】
ある実施形態例によれば、リンク付きＰＵＳＣＨ電力制御パラメータセット（複数のＰＵＳＣＨ電力制御パラメータセットのうちの１つ）が選択されて、例えば各ＳＲＳリソースのための又は１つ以上のＳＲＳリソースのためのＳＲＳ電力制御に使用されてもよい。ＳＲＳのためのＰＵＳＣＨ電力制御パラメータセット（リンク付きＰＵＳＣＨ電力制御パラメータセット）の選択は、以下のうちの１つ又は２つ以上を含み、又は伴ってよい。
【００８９】
１）ＰＵＳＣＨ電力制御のための複数のＰＵＳＣＨ電力制御パラメータセット（ＰＵＳＣＨビームペア毎に１つのパラメータセット）を決定する。
【００９０】
２）各ＳＲＳリソース（又は１つ以上のＳＲＳリソース）のためのビームペアを決定する。
【００９１】
３）ＰＵＳＣＨのためのビームペアとＳＲＳのためのビームペアとのマッチングに基づいて、ＳＲＳ信号の電力を決定するために（ＳＲＳ電力制御のために）使用するリンク付きＰＵＳＣＨ電力制御パラメータセットを、ＳＲＳリソース毎に決定する。例えば、所与のＳＲＳビームペアについて、ＳＲＳビームペアに一致するビームペアを有するＰＵＳＣＨパラメータセットを選択する。
【００９２】
４）明示的オプション：その後、ＢＳは、（ＳＲＳビームペアのために）使用するＰＵＳＣＨ電力制御パラメータセットを識別するインデックスをＵＥに送信する。
【００９３】
Ａ）例えば、ＰＵＳＣＨ電力制御パラメータセットに対するインデックスを２ビットで示してもよい−明示的な動的シグナリング（例えば、ＰＤＣＣ内のＤＣＩを用いてこのインデックスをシグナリングする）。
【００９４】
Ｂ）表１を参照−上位層（例えば、ＲＲＣ）シグナリングと動的シグナリングとの組み合わせ：ＳＲＳパラメータセットは、上位層シグナリング（例えば、ＲＲＣシグナリング）と下位層シグナリングとを介してレポートされ、例えばＰＤＣＣＨ  ＤＣＩを用いてリンク付きＰＵＳＣＨ電力制御パラメータセットをレポートすることができる。
【００９５】
Ｃ）ＲＲＣなどの高レベルシグナリングはこのインデックスを示すには遅い（ＰＤＣＣＨ  ＤＣＩほど速くない）場合があり、また、周期的ＳＲＳビームはＢＳによって事前構成されるので、高レベルシグナリングは周期的ＳＲＳのためのリンク付きＰＵＳＣＨ電力制御パラメータセットをレポートするために使用することができる。したがって、ＢＳは、ＳＲＳ送信の前に、リンク付きＰＵＳＣＨ電力制御パラメータセットをＵＥに送信してそのビームに使用されるようにしてもよい。非周期的ＳＲＳのためのリンク付きＰＵＳＣＨ電力制御パラメータセットのレポートには、ＰＤＣＣＨを使用してもよい。
【００９６】
５）非明示的オプション：ＰＵＳＣＨパラメータセット及びＳＲＳパラメータセットにビームペアが含まれていてもよい。従って、ＢＳ（及びＵＥ）は、そのビームとＰＵＳＣＨ送信のためのＰＵＳＣＨパラメータセットとを認識しているときは、同一のビームペアを有するＳＲＳのためのリンク付きＰＵＳＣＨパラメータセットも認識している。従って、ＵＥ及びＢＳは、（例えば、ＳＲＳのためのビームペアとＰＵＳＣＨのためのビームペアとの一致に基づいて）いずれもＰＵＳＣＨ及びＳＲＳのためのビームペアを認識しており、いずれもＳＲＳ電力制御のためのリンク付きＰＵＳＣＨ電力制御パラメータセットを認識している。従って、ＵＥは、同一のビームペアを有するＳＲＳのためのリンク付きＰＵＳＣＨ電力制御パラメータセットを非明示的に決定することができる。従って、この場合、各ＳＲＳ／ＳＲＳリソースのためのリンク付きＰＵＳＣＨ電力制御パラメータセットのインデックスをシグナリングする必要はない。
【００９７】
図７は、ある実施形態例による明示的な動的シグナリングを示す図である。関連付けのための明示的な動的シグナリング指示。例えば、ＳＲＳ及びＰＵＳＣＨの両方について十分に柔軟なビームフォーミングを保証するために、ＳＲＳ送信電力を決定するための（Ｐ０、アルファ、経路損失などを含みうる）リンク付きＰＵＳＣＨ電力制御パラメータセットを示すために動的シグナリングが用いられてもよい。図７に、動的シグナリングの例を示す。動的シグナリングは、ＳＲＳ送信リンクのために使用されたビームペア１に従って、ＳＲＳ電力制御のために使用すべきリンク付きＰＵＳＣＨ電力制御パラメータセット１をＵＥに示す。ＳＲＳとリンク先ＰＵＳＣＨの間には、電力制御パラメータセット毎に１つの特定のオフセット値が存在してもよい。このスキームは、十分な柔軟性を有しているため、非周期的ＳＲＳの電力制御に使用することができる。図７に示す例において、例えばＰＵＳＣＨビームペア（ＴＸビーム１／Ｒｘビーム１）とＳＲＳビームペア（ＴＸ／送信ビーム１、Ｒｘ／受信ビーム１）との間の一致に基づいて、ＰＵＳＣＨ送信ビーム１及び受信ビーム１に対応するＰＵＳＣＨ電力制御パラメータセット１の使用をＵＥにシグナリングするのに動的な明示的シグナリングを用いてもよい。
【００９８】
非周期的ＳＲＳ送信をトリガするため、この動的シグナリングを、例えばＰＤＣＣＨ  ＤＣＩを介して使用してもよい。動的シグナリングのオーバーヘッドとＳＲＳ送信の柔軟性との間の良好なトレードオフを提供するため、上位層シグナリング（例えば、ＲＲＣ／無線リソース制御シグナリング）は下位層（例えば、ＰＤＣＣＨ  ＤＣＩ）の動的シグナリングと組み合わせて使用されてもよい。例えば、動的シグナリングは、１つの状態に対応するＳＲＳ送信パラメータセットを示してもよい。例えば、２ビットの動的シグナリングを使用して（例えば、表１を参照）３つの状態を示すことができる（第４の状態はトリガせず）。上位層（例えばＲＲＣ）シグナリングによって状態毎にＳＲＳ送信パラメータが構成（ＵＥに通信）され、例えば、上位層シグナリングを介してＵＥに通信されるＳＲＳ送信パラメータには、例えば送信コム（ｔｒａｎｓｍｉｓｓｉｏｎ  ｃｏｍｂ）、開始物理リソースブロック割り当て、ｓｒｓ−ＣｏｎｆｉｇＩｎｄｅｘ、ＳＲＳ帯域幅、周波数ホッピング帯域幅、循環シフト、アンテナポート数が含まれる。表１に示すように、ある実施形態例によれば、１）ＳＲＳ送信パラメータセットと、２）リンク付きＰＵＳＣＨ電力制御パラメータセットと、３）ＳＲＳリソースのための諸元（ｎｕｍｅｒｏｌｏｇｙ；数値情報）と、をＵＥに示すためにＳＲＳ要求フィールドのインデックス又は値が用いられてもよい。例えば、同じ電力制御パラメータセットを有するＳＲＳとリンク先ＰＵＳＣＨとは、典型的には、同じ諸元を有していてもよい。
【００９９】
【表１】
2020503805.tif 000004
【０１００】
表１−ＳＲＳ信号のための（例えば、非周期的ＳＲＳなどの動的な明示的シグナリングのための）リンク付きＰＵＳＣＨ電力制御パラメータセットを識別するＳＲＳ要求フィールド／インデックス。インデックス又はＳＲＳ要求フィールドは、ＳＲＳ送信パラメータセット、諸元などを示すこともできる。
【０１０１】
送信及び受信ビームのペアがＳＲＳ送信のために予め定義されている場合、上位層シグナリングを用いて、リンク付きＰＵＳＣＨ電力制御パラメータセットのインデックスを示すことができる。例えば、ビーム管理によって決定される異なるビームペアのＣＳＩを取得するために周期的ＳＲＳを使用することができる。ｇＮＢは、使用されるＰＵＳＣＨ及びＳＲＳのビームペアに基づいて、ＰＵＳＣＨ電力制御パラメータセットのインデックスを同じビームペアによって決定することができる。
【０１０２】
例えば、ＵＥ側で受信ビームフォーミング情報を入手できないときは、ＳＲＳ信号のためのリンク付きＰＵＳＣＨ電力制御パラメータセットを示すための（リンクを示す）シグナリングが必要となる場合がある。また、例えばＰＵＳＣＨ及びＳＲＳの送信パラメータに全てのビームペア情報が含まれているときは、ＵＥが、ＰＵＳＣＨ及びＳＲＳ間の同一ビームペアの原理によって、ＳＲＳ送信電力の決定に使用されるＰＵＳＣＨ電力制御パラメータセットが非明示的に決定されてもよい。
【０１０３】
複数のＳＲＳリソースの電力制御。異なるＳＲＳには異なるビームフォーミング（異なるビームペア）を使用してもよいので、異なるＳＲＳリソースについてのＰＵＳＣＨ電力制御パラメータセットとの関連性が規定されてもよい（又はすべきである）。この関連性は、ＳＲＳの正確な電力制御を実行するために、使用される各ＳＲＳリソースのビームペアに従って決定することができる。従って、（ＳＲＳ信号の）ＳＲＳ電力制御のためのＰＵＳＣＨ電力制御パラメータセットの関連性を、ＳＲＳリソース毎に決定することができる。この関連性は、例えば明示的シグナリング（ＢＳが送信する、リンク付きＰＵＳＣＨ電力制御パラメータセットをＳＲＳリソース／ＳＲＳ信号毎に示す制御情報）によって、又は（例えば、ＰＵＳＣＨビームペアに一致するＳＲＳビームペアに基づく）非明示的決定によってリソース毎に取得することができる。異なるＳＲＳリソース上で異なる諸元が使用される場合には、ＳＲＳリソース構成毎に、同じ電力制御パラメータセットを有するＳＲＳとリンク先ＰＵＳＣＨとに同じ諸元が使用されるものと定めることができる。例えば、異なる周波数帯を有する複数のリソース上で１つのＯＦＤＭ（直交周波数分割多重）シンボル内でＳＲＳを送信する場合、電力制限されたユーザ装置にＳＣ−ＦＤＭＡ（シングルキャリア周波数分割多元接続）を使用する場合に良好なＰＡＰＲ（ピーク対平均電力比）特性を保証することによって、同じリンク（ＳＲＳ毎に同じリンク付きＰＵＳＣＨ電力制御パラメータセット）を想定することができる。すなわち、例えばＳＣ−ＦＤＭＡを有するＵＥは、異なるＳＲＳリソース内で（又は異なるＳＲＳリソースについて）、ＰＵＳＣＨ電力制御パラメータセットのリンクのための同じシグナリングを受け取ることができる。
【０１０４】
図８は、ある実施形態例による、複数のＳＲＳリソースに対するＰＵＳＣＨ電力制御パラメータセットの関連性（又は選択）を示す図である。ビーム管理ＳＲＳでは、ビーム選択にビーム掃引を使用することができる（例えば、サブフレーム１がビーム１を使用し、サブフレーム２がビーム２を使用し、又はサブフレーム毎に複数のビームを作動させることができる）。この場合、ｇＮＢ／ＢＳ及びＵＥの両方について、ビーム品質を利用することができない。さらに、全てのビームの対応するＰＵＳＣＨ電力制御パラメータセットを取得することは容易でない。従って、ある実施形態例によれば、たとえ異なるＳＲＳリソースに異なるビーム／ビームペアを使用する場合でも、この種のＳＲＳに（全ての又は複数のＳＲＳ信号に）同じＰＵＳＣＨ電力制御パラメータセットを使用してもよい。例えば、ビーム管理のポイントは、ＵＬのための最新の好ましい（単複の）ビーム（ＵＥ  ＴＸビーム及びＢＳ  ＲＸビーム）を決定することであるため、ＵＥ及びＢＳは、必ずしもどのビームが最良又は好ましいものであるかを認識しているわけではない。簡潔にするために、（ＳＲＳ信号に使用される）ＰＵＳＣＨ電力制御パラメータセットは、ごく最近に正しく送信されたＰＵＳＣＨに関連付けることができ（ＵＥは、以前に正常に使用されたＵＬデータ送信のためのＰＵＳＣＨ電力制御パラメータセットを既に認識しており、例えば以前の時間インスタンス中にＵＥ及びＢＳの両方によって非明示的に認識されている）、あるいは１つのデフォルトＰＵＳＣＨ電力制御パラメータセット、又はＢＳが、ＲＲＣシグナリングなどを介して、１つの指示されたＰＵＳＣＨ電力制御パラメータセットをＵＥにシグナリングすることができる。デフォルトのＰＵＳＣＨ電力制御パラメータセット例では、ロバストな送信のために幅広いビームと関連付けることができる。ここでは、ビーム管理のためのＳＲＳリソースを１つだけ想定する。
【０１０５】
様々な例示的な特徴又は実施形態例は、一例として以下のうちの１つ又は２つ以上を含んでもよい。
【０１０６】
１）ＢＳ及びＵＥは、ＰＵＳＣＨ及びＳＲＳについて使用された送信及び受信ビーム；（例えば、ＰＵＳＣＨビームペアに一致するＳＲＳビームペアに基づいて）；異なる構成、に従って、ＳＲＳ送信電力を決定するためのリンク付きＰＵＳＣＨ電力制御パラメータセットを決定してもよい。
【０１０７】
Ａ）リンク付きＰＵＳＣＨ電力制御パラメータセットのインデックスを示すための、ＰＤＣＣＨ  ＤＣＩによる動的な明示的シグナリング。
【０１０８】
Ｂ）ＵＥがＰＵＳＣＨビームペアとＲＳビームペアとの一致に基づいてＳＲＳのリンク関係又はリンク付きＰＵＳＣＨ電力制御パラメータセットを決定するための非明示的な原理／決定。
【０１０９】
２）ＳＲＳ及びＰＵＳＣＨについての複数のＰＵＳＣＨ電力制御パラメータセット間の関連性が（例えば、ＰＵＳＣＨビームペアに一致するＳＲＳビームペアに基づいて）ＳＲＳリソース毎に決定される。
【０１１０】
３）ビーム掃引を用いたビーム管理ＳＲＳに同じＰＵＳＣＨ電力制御パラメータセットを使用してもよい。ＵＥは、複数のＳＲＳビームペアに１つのリンク付きＰＵＳＣＨ電力制御パラメータセットを使用してもよい（例えば、ＳＲＳビームペア１〜４について、ＰＵＳＣＨビーム１のためのＰＵＳＣＨパラメータセットを使用する）。
【０１１１】
（Ａ）（ＢＳ及びＵＥの両方が認識している）以前の又は最新のＰＵＳＣＨデータ送信に使用されたＰＵＳＣＨ電力制御パラメータセットを複数のＳＲＳリソース／ＳＲＳビームペアに使用する。
【０１１２】
Ｂ）（ＢＳがＵＥに示す）シグナリングされたＰＵＳＣＨ電力制御パラメータセットを複数のＳＲＳリソース／ＳＲＳビームペアに使用する。
【０１１３】
Ｃ）（ＢＳ及びＵＥの両方が認識している）デフォルトのＰＵＳＣＨ電力制御パラメータセットを複数のＳＲＳリソース／ＳＲＳビームペアに使用する。
【０１１４】
４）ＳＲＳ送信のための諸元を（ＢＳからＵＥに）示すための追加的なシグナリングが使用されてもよい。同じ電力制御パラメータセットを有するＳＲＳ及びリンク先ＰＵＳＣＨは、同じ諸元を有する（有するべきである）。異なる諸元は、異なるリンク／リンク付きＰＵＳＣＨパラメータセットを有してもよい（諸元には、例えばサブキャリア間隔、サブフレーム長（時間）、時間領域（ＯＦＤＭシンボル期間）及び周波数領域（サブキャリア間隔）、送信電力、異なるビーム幅が含まれる。）。諸元には、基本的な時間／周波数特性が含まれていてもよい。諸元１についての複数のＳＲＳリソース、及び諸元２についての複数のＳＲＳリソース。ＳＲＳ送信のためには、例えば異なるビーム／ビーム幅、異なる可能性のある送信電力などの、２つの異なる諸元についての複数のＳＲＳリソースが含まれる必要があるかもしれない。ＢＳは、例えばＳＲＳ送信パラメータセット内で、高レベル／ＲＲＣシグナリングを介してＵＥに諸元を示してもよい。ＢＳは、関連性（ＳＲＳ信号のためのリンク付きＰＵＳＣＨ電力制御パラメータセット）と、関連性が適用される諸元とを示してもよい。
【０１１５】
図９は、別の実施形態例による基地局及びユーザ装置（ＵＥ）の動作を示す図である。ＢＳ側からすると、ＢＳは、ＵＥが適切なＳＲＳ送信電力でＳＲＳを送信するのを可能にするため、電力制御関連情報を送信する。ＵＥ側からすると、ＵＥは測定を行い、例えば動的及び準静的シグナリングを含むｇＮＢの／ＢＳの指示に従ってＳＲＳ送信電力を設定／調整する。
【０１１６】
９１０において、ｇＮＢ（ＢＳ）は、１又は２以上のビーム／ビームペアを介して、ＵＥ経路損失測定のためのビーム基準信号（ＢＲＳ）又はチャネル状態情報−基準信号（ＣＳＩ−ＲＳ）などの基準信号を送信／伝送する。次に、ＵＥは、例えば複数のビームペアの各々について経路損失（ＰＬ）測定を実行する。例えば、ＵＥは、受け取ったＣＳＩ−ＲＳに基づいてＲＳＲＰ（基準信号受信電力）測定を実行し、各ＰＵＳＣＨビームペア及び各ＰＵＳＣＨ電力制御パラメータセットに関する経路損失を取得する。
【０１１７】
９２０において、ｇＮＢ／ＢＳは、異なる送信及び受信ビームペアを有するＰＵＳＣＨのための、開ループ部分、Ｐ０、α及び閉ループ部分ｆｃを含む複数のＰＵＳＣＨ電力制御パラメータセット（各パラメータ、各パラメータセットの値）を決定してＲＲＣを介して送信し、これらのパラメータを上位層（開ループ部分はＲＲＣを介して送信される）及び物理又は下位層シグナリング（例えば、ｆｃは、ＰＤＣＣＨ／ＤＣＩを介して送信されてもよい）によってＵＥに送信する。ＵＥは、複数のＰＵＳＣＨ電力制御パラメータセットのシグナリング及び関連するオフセット値を受け取る。
【０１１８】
９３０において、ｇＮＢ／ＢＳは、各ＰＵＳＣＨ電力制御パラメータセットについて、上位層シグナリングによって（例えば、ＲＲＣシグナリングを介して）ＳＲＳとリンク先ＰＵＳＣＨとの間の１つの電力オフセット（例えば、ＳＲＳ電力オフセット）値を構成し、例えば全てのＰＵＳＣＨ電力制御パラメータセットのための１つのオフセット値を共有し、或いは異なるＰＵＳＣＨ電力制御パラメータセットのための異なるオフセット値を有することができる。９３０において、ＵＥは、例えばｇＮｂのシグナリングと、以下の公式に従う経路損失測定結果とに基づいて、各ＳＲＳリソースの送信電力を決定する（パラメータセットｋについては、リンク付きＰＵＳＣＨ電力制御パラメータセットを明示的にシグナリング又は非明示的に決定することができる）。
【０１１９】
【数２】
2020503805.tif 000005
【０１２０】
単位は［ｄＢｍ］である。ここで、ＰO_PUSCH,c,k（ｊ）、αc、k（ｊ）はＲＲＣシグナリングによって示され、ＰＬc、kはＵＥ測定によって取得され、ｆc、k（ｉ）はＴＰＣ（送信ポイント）シグナリングによって導出される。これらのパラメータは、ＰＵＳＣＨパラメータセットｋから取得される。電力制御パラメータセットインデックスについては、ｇＮｂ／ＢＳが、動的な（下位層、例えば、ＰＤＣＣＨ  ＤＣＩ）又は上位層シグナリング（例えば、ＲＲＣシグナリング）を用いてこの情報を示すことができる。注：ビーム管理ＳＲＳでは、ＳＲＳ送信には掃引された複数のビームを用いることができるが、１つのリンク付きＰＵＳＣＨパラメータセットのみを使用してＳＲＳ送信電力を決定してもよい。それは、例えば、１つのデフォルトＰＵＳＣＨ電力制御パラメータセット、又は正しく送信されたＰＵＳＣＨについてのごく最近に使用されたパラメータセットとすることができる。
【０１２１】
９４０において、ｇＮＢ／ＢＳは、ＵＥがＰＵＳＣＨビームペアに一致するＳＲＳ送信に使用されたビームペア（送信及び受信ビーム）に従ってＳＲＳ送信電力を決定するためのリンク付きＰＵＳＣＨ電力制御パラメータセットを示すシグナリングを、ＳＲＳリソース毎に送信する。非周期的ＳＲＳでは、動的シグナリング（ＰＤＣＣＨ／ＤＣＩ）を用いてリンク付きＰＵＳＣＨ電力制御パラメータセットのインデックスを示してもよい。リンク付きＰＵＳＣＨ電力制御パラメータセットのインデックスは、動的シグナリングによって示される各状態のＳＲＳ送信パラメータセットの指示と共に含めることができる。周期的ＳＲＳでは、準静的シグナリング（ＲＲＣ）を用いてＰＵＳＣＨ電力制御パラメータセットのインデックスを示すことができる。非明示的オプション−このためのシグナリングは必要でなく、ＵＥは、一致するＰＵＳＣＨビームペアとＳＲＳビームペアとに基づいて関連性（ＳＲＳのためのリンク付きＰＵＳＣＨ電力制御パラメータセット）を決定する。
【０１２２】
９５０において、例えば選択された／リンク付きＰＵＳＣＨ電力制御パラメータセットに基づいて、ＵＥは各ＳＲＳ信号を対応するＳＲＳリソースを介して且つ求めたＳＲＳ送信電力で送信する。
【０１２３】
種々の実施形態例は、例えばＳＲＳについての正確な電力制御を実行して消費電力及びセル間干渉を低減する、柔軟なＳＲＳ構成との互換性を提供することができる、限られたＳＲＳリソースを用いて更に多くのユーザをサポートする、などの１又は２以上の利点を有することができる。
【０１２４】
図１０は、ある実施形態例による無線局（例えば、ＡＰ又はユーザ装置）１０００のブロック図である。例えば、無線局１０００は１つ又は２つのＲＦ（無線周波数）又は無線トランシーバ１００２Ａ、１００２Ｂを含んでもよく、各トランシーバは信号を送信する送信機と信号を受信する受信機とを含む。無線局は、命令又はソフトウェアを実行して信号の送信及び受信を制御するプロセッサ又は制御装置／エンティティ（コントローラ）１００４と、データ及び／又は命令を記憶するメモリ１００６とを更に含む。
【０１２５】
プロセッサ１００４は、決定又は判定を行い、送信するフレーム、パケット又はメッセージを生成し、受け取ったフレーム又はメッセージを更なる処理のために復号し、本明細書で説明するその他のタスク又は機能を実行することもできる。例えばベースバンドプロセッサなどのプロセッサ１００４は、無線トランシーバ１００２（１００２Ａ又は１００２Ｂ）を介して送信するメッセージ、パケット、フレーム又はその他の信号を生成することができる。プロセッサ１００４は、無線ネットワークを介した信号又はメッセージの送信を制御できるとともに、無線ネットワークを介した（例えば、無線トランシーバ１００２によってダウンコンバートされた後の）信号又はメッセージなどの受信を制御することもできる。プロセッサ１００４はプログラム可能であり、メモリ又は他のコンピュータ媒体に記憶されているソフトウェア又は他の命令を実行して、上述したタスク又は方法のうちの１つ又は２つ以上などの上述した様々なタスク及び機能を実行することができる。例えば、プロセッサ５０４は、ハードウェア、プログラマブルロジック、ソフトウェア又はファームウェアを実行するプログラマブルプロセッサ、及び／又はこれらのいずれかの組み合わせとする（又はこれらを含む）ことができる。例えば、換言すれば、プロセッサ１００４及びトランシーバ１００２は、一体的に無線送信機／受信機システムとみなすことができる。
【０１２６】
また、図１０を参照し、コントローラ（又はプロセッサ）１００８は、ソフトウェア及び命令を実行することができ、局１０００の全体的な制御を行うことができ、入力／出力装置（例えば、ディスプレイ、キーパッド）などの図１０に示していない他のシステムの制御を行うことができ、及び／又は、例えば電子メールプログラム、オーディオ／ビデオアプリケーション、ワードプロセッサ、Ｖｏｉｃｅ  ｏｖｅｒ  ＩＰアプリケーション、あるいはその他のアプリケーション又はソフトウェアなどの、無線局１０００に提供できる１又は２以上のアプリケーションのソフトウェアを実行することができる。
【０１２７】
また、コントローラ又はプロセッサによって実行されると、プロセッサ１００４、あるいはその他のコントローラ又はプロセッサに上述の機能又はタスクのうちの１つ又は２つ以上を実行させることができる命令を記憶した記憶媒体を提供することもできる。
【０１２８】
別の実施形態例によれば、ＲＦ又は無線トランシーバ１００２Ａ／１００２Ｂは、信号又はデータを受信し、及び／又は信号又はデータを伝送又は送信することができる。プロセッサ１００４（及び場合によってはトランシーバ１００２Ａ／１００２Ｂ）は、信号又はデータの受信、送信、ブロードキャスト又は伝送を行うようにＲＦ又は無線トランシーバ１００２Ａ又は１００２Ｂを制御することができる。
【０１２９】
しかしながら、実施形態は、一例として示すシステムに限定されず、当業者であれば、この解決策を他の通信システムに適用することもできる。好適な通信システムの別の例は５Ｇ構想である。５Ｇのネットワークアーキテクチャは、ＬＴＥ−Ａｄｖａｎｃｅｄのアーキテクチャに極めて類似するようになると想定されている。５Ｇは、多入力多出力（ＭＩＭＯ）アンテナ、ＬＴＥよりも遥かに多くの基地局又はノードを使用し、小型の局と協働するマクロサイトを含み、恐らくは改善されたカバレッジ及び強化されたデータレートのための様々な無線技術も利用するする可能性が高い（いわゆる小セル構想）。
【０１３０】
なお、将来的なネットワークは、互いに動作可能に接続又はリンクしてサービスを提供できる「ビルディングブロック（基本的構成要素）」又はエンティティにネットワークノード機能を仮想化することを提案するネットワークアーキテクチャ概念であるネットワーク機能の仮想化（ＮＦＶ）を利用する可能性が非常に高くなると理解されたい。仮想化ネットワーク機能（ＶＮＦ）は、カスタマイズされたハードウェアではなく標準又は汎用タイプのサーバを用いてコンピュータプログラムコードを実行する１又は２以上の仮想マシンを含んでもよい。クラウドコンピューティング又はデータストレージを利用することもできる。無線通信では、このことが、リモートラジオヘッドに動作可能に結合されたサーバ、ホスト又はノードにおいてノード動作を少なくとも部分的に実行できることを意味するかもしれない。ノード動作は、複数のサーバ、ノード又はホスト間に分散することもできる。また、コアネットワーク動作と基地局動作との間の作業の分散は、ＬＴＥのものとは異なる可能性があり、又は存在しないこともあると理解されたい。
【０１３１】
本明細書で説明した様々な技術の実装は、デジタル電子回路において、あるいはコンピュータハードウェア、ファームウェア、ソフトウェア、又はこれらの組み合わせで行うことができる。実装は、コンピュータプログラム製品として、すなわちプログラマブルプロセッサ、コンピュータ又は複数コンピュータなどのデータ処理装置が実行するための、又はこれらの装置の動作を制御するための、機械可読記憶装置又は伝搬信号などの情報キャリアにおいて有形的に具現化されたコンピュータプログラムとして行うこともできる。実装は、非一時的媒体であってもよいコンピュータ可読媒体又はコンピュータ可読記憶媒体上に行うこともできる。様々な技術の実装は、一時的信号又は媒体を介して行われる実装、及び／又は、有線ネットワーク及び／又は無線ネットワークのいずれであるかにかかわらず、インターネット又はその他の（単複の）ネットワークを介してダウンロードできるプログラム及び／又はソフトウェアでの実装を含むこともできる。また、マシン型通信（ＭＴＣ）又はモノのインターネット（ＩＯＴ）を介して実装を行うこともできる。
【０１３２】
コンピュータプログラムは、ソースコード形態、オブジェクトコード形態、又は何らかの中間形態であってもよく、プログラムを保持できる任意のエンティティ又は装置であってもよい何らかの種類のキャリア、配布媒体又はコンピュータ可読媒体に記憶されてもよい。例えば、このようなキャリアとしては、記録媒体、コンピュータメモリ、読み取り専用メモリ、光電子及び／又は電気キャリア信号、電気通信信号及びソフトウェア配布パッケージが挙げられる。コンピュータプログラムは、必要な処理電力に応じて、単一の電子デジタルコンピュータにおいて実行されても、あるいは複数のコンピュータ間で分散されてもよい。
【０１３３】
さらに、本明細書で説明した様々な技術の実装には、サイバーフィジカルシステム（ＣＰＳ）（物理エンティティを制御する協働計算要素のシステム）が用いられてもよい。ＣＰＳは、異なる位置の物理的対象に埋め込まれた膨大な量の相互接続ＩＣＴ装置（センサ、アクチュエータ、プロセッサ、マイクロコントローラなど）の実装及び活用を可能にすることができる。対象となるフィジカルシステムが本質的移動性を有するモバイルサイバーフィジカルシステムは、サイバーフィジカルシステムのサブカテゴリである。モバイルフィジカルシステムの例としては、移動ロボット工学、及び人間又は動物が輸送する電子機器が挙げられる。モバイルサイバーフィジカルシステムの分野への関心は、スマートホンの人気上昇によって高まった。従って、本明細書で説明した技術の様々な実装は、これらの技術のうちの１つ又は２つ以上を通じて行うことができる。
【０１３４】
上述した（単複の）コンピュータプログラムなどのコンピュータプログラムは、コンパイラ型言語又はインタープリタ型言語を含むあらゆる形態のプログラミング言語で書くことができ、スタンドアロンププログラムとしての形態、あるいはモジュール、コンポーネント、サブルーチン又はコンピュータ環境での使用に適した他のユニット又はその一部としての形態を含むあらゆる形態で展開することができる。コンピュータプログラムは、１つのコンピュータ上で実行されるように展開することも、或いは１つのサイトにおける、又は複数のサイトに分散して通信ネットワークによって相互接続された複数のコンピュータ上で実行されるように展開することもできる。
【０１３５】
方法ステップは、入力データに作用して出力を生成することによって機能を実行するコンピュータプログラム又はコンピュータプログラム部分を実行する１又は２以上のプログラマブルプロセッサによって実行することができる。方法ステップは、ＦＰＧＡ（フィールドプログラマブルゲートアレイ）又はＡＳＩＣ（特定用途向け集積回路）などの専用論理回路によって実行することができ、装置をこのような専用論理回路として実装することもできる。
【０１３６】
一例として、コンピュータプログラムの実行に適したプロセッサとしては、汎用及び専用の両マイクロプロセッサ、及びあらゆる種類のデジタルコンピュータ、チップ又はチップセットのいずれか１つ又は２つ以上のプロセッサが挙げられる。一般に、プロセッサは、読み取り専用メモリ又はランダムアクセスメモリ、又はこれらの両方から命令及びデータを受け取る。コンピュータの要素は、命令を実行する少なくとも１つのプロセッサと、命令及びデータを記憶する１又は２以上の記憶装置とを含むことができる。一般に、コンピュータは、磁気ディスク、光磁気ディスク又は光学ディスクなどの、データを記憶するための１又は２以上の大容量記憶装置を含み、あるいはこれらとの間でデータの受信又は転送、あるいはこれらの両方を行うように動作可能に結合することができる。コンピュータプログラム命令及びデータを具現化するのに適した情報キャリアとしては、一例としてＥＰＲＯＭ、ＥＥＰＲＯＭ及びフラッシュメモリ装置などの半導体記憶装置、内部ハードディスク又は取り外し可能ディスクなどの磁気ディスク、光磁気ディスク、並びにＣＤ  ＲＯＭ及びＤＶＤ−ＲＯＭディスクを含む全ての形態の不揮発性メモリが挙げられる。プロセッサ及びメモリは、専用論理回路によって補完され、又は専用論理回路に組み込むことができる。
【０１３７】
ユーザとの相互作用を提供するために、実装は、ブラウン管（ＣＲＴ）又は液晶ディスプレイ（ＬＣＤ）モニタなどの、ユーザに情報を表示するディスプレイ装置と、ユーザがコンピュータに入力を提供できるようにするキーボード、及びマウス又はトラックボールなどのポインティングデバイスなどのユーザインターフェイスとを有するコンピュータ上で行うことができる。他の種類の装置を使用してユーザとの相互作用をもたらすこともでき、例えばユーザに提供されるフィードバックは、視覚フィードバック、聴覚フィードバック又は触覚フィードバックなどのあらゆる形の感覚フィードバックとすることができ、ユーザからの入力は、音響入力、音声入力又は触覚入力を含むあらゆる形で受け取ることができる。
【０１３８】
実装は、例えばデータサーバとしてのバックエンドコンポーネント、又はアプリケーションサーバなどのミドルウェアコンポーネント、又はユーザが実装と相互作用できるようにするグラフィカルユーザインターフェイス又はウェブブラウザを有するクライアントコンピュータなどのフロントエンドコンポーネント、あるいはこのようなバックエンド、ミドルウェア又はフロントエンドコンポーネントのいずれかの組み合わせを含むコンピュータシステムにおいて行うことができる。コンポーネントは、通信ネットワークなどのあらゆるデジタルデータ通信の形態又は媒体によって相互接続することができる。通信ネットワークの例としては、ローカルエリアネットワーク（ＬＡＮ）、及びインターネットなどの広域ネットワーク（ＷＡＮ）が挙げられる。
【０１３９】
本明細書では、説明した実施形態のいくつかの特徴を図示し説明したが、当業者には多くの修正、置換、変更及び同等物が想起されるであろう。従って、添付の特許請求の範囲は、様々な実施態様の真の趣旨に含まれるような全ての修正及び変更を含むことが意図されていると理解されなければならない。
【図１】
2020503805.tif 000006
【図２】
2020503805.tif 000007
【図３】
2020503805.tif 000008
【図４】
2020503805.tif 000009
【図５】
2020503805.tif 000010
【図６】
2020503805.tif 000011
【図７】
2020503805.tif 000012
【図８】
2020503805.tif 000013
【図９】
2020503805.tif 000014
【図１０】
2020503805.tif 000015
【国際調査報告】
2020503805.tif 000016
2020503805.tif 000017